(57)【特許請求の範囲】
【請求項１】
順に連続して出現する第１フィールド期間乃至第６フィールド期間を、１フレーム期間に少なくとも有し、
前記第１フィールド期間、前記第３フィールド期間、及び前記第５フィールド期間において、画素部が有する奇数行の画素に、右目用の画像信号或いは左目用の画像信号のいずれか一方が入力され、
前記第２フィールド期間、前記第４フィールド期間、及び前記第６フィールド期間において、前記画素部が有する偶数行の画素に、前記右目用の画像信号或いは前記左目用の画像信号のいずれか他方が入力され、
前記第１フィールド期間において、光供給部から前記画素部に、第１の色相の光が供給され、
前記第２フィールド期間において、前記光供給部から前記画素部に、前記第１の色相とは異なる第２の色相の光が供給され、
前記第３フィールド期間において、前記光供給部から前記画素部に、前記第１の色相及び前記第２の色相とは異なる第３の色相の光が供給され、
前記第４フィールド期間において、前記光供給部から前記画素部に、前記第１の色相の光が供給され、
前記第５フィールド期間において、前記光供給部から前記画素部に、前記第２の色相の光が供給され、
前記第６フィールド期間において、前記光供給部から前記画素部に、前記第３の色相の光が供給される液晶表示装置の駆動方法。
【請求項２】
請求項１において、
前記画素は、トランジスタと、前記トランジスタを介して前記右目用の画像信号或いは前記左目用の画像信号が与えられる液晶素子とを有し、
前記トランジスタは、活性層に酸化物半導体を含み、
前記液晶素子が有する液晶層は、ブルー相を示す液晶を用いている液晶表示装置の駆動方法。
【請求項３】
順に連続して出現する第１フィールド期間乃至第６フィールド期間を、１フレーム期間に少なくとも有し、
前記第１フィールド期間、前記第３フィールド期間、及び前記第５フィールド期間において、画素部が有する奇数行の画素に、右目用画像或いは左目用画像のいずれか一方が表示され、なおかつ、前記画素部が有する偶数行の画素に単一の階調が表示され、
前記第２フィールド期間、前記第４フィールド期間、及び前記第６フィールド期間において、前記画素部が有する前記奇数行の画素に単一の階調が表示され、なおかつ、前記画素部が有する前記偶数行の画素に、前記右目用画像或いは前記左目用画像のいずれか他方が表示され、
前記第１フィールド期間において、光供給部から前記画素部に、第１の色相の光が供給され、
前記第２フィールド期間において、前記光供給部から前記画素部に、前記第１の色相とは異なる第２の色相の光が供給され、
前記第３フィールド期間において、前記光供給部から前記画素部に、前記第１の色相及び前記第２の色相とは異なる第３の色相の光が供給され、
前記第４フィールド期間において、前記光供給部から前記画素部に、前記第１の色相の光が供給され、
前記第５フィールド期間において、前記光供給部から前記画素部に、前記第２の色相の光が供給され、
前記第６フィールド期間において、前記光供給部から前記画素部に、前記第３の色相の光が供給される液晶表示装置の駆動方法。
【請求項４】
請求項３において、
前記画素は、トランジスタと、前記トランジスタを介して、前記右目用画像或いは前記左目用画像の情報を含む画像信号、若しくは前記単一の階調の情報を含むブランク信号が与えられる液晶素子とを有し、
前記トランジスタは、活性層に酸化物半導体を含み、
前記液晶素子が有する液晶層は、ブルー相を示す液晶を用いている液晶表示装置の駆動方法。
【請求項５】
請求項２または請求項４において、
前記活性層は、キャリア濃度が１×１０１４／ｃｍ３未満である領域を含む液晶表示装置の駆動方法。
【請求項６】
請求項２、請求項４、及び請求項５のいずれか一項において、
前記活性層は、高純度化されている領域を含む液晶表示装置の駆動方法。
【請求項７】
請求項１乃至請求項６のいずれか一項において、
前記第１フィールド期間、前記第３フィールド期間、及び前記第５フィールド期間において、前記光供給部から前記画素部に前記第１の色相乃至前記第３の色相の光のいずれか一が供給されている第１の期間では、右目用のシャッターまたは左目用のシャッターのいずれか一方の透過率が、前記右目用のシャッターまたは前記左目用のシャッターのいずれか他方の透過率より高く、
前記第２フィールド期間、前記第４フィールド期間、及び前記第６フィールド期間において、前記光供給部から前記画素部に前記第１の色相乃至前記第３の色相の光のいずれか一が供給されている第２の期間では、前記右目用のシャッターまたは前記左目用のシャッターのいずれか一方の透過率が前記右目用のシャッターまたは前記左目用のシャッターのいずれか他方の透過率より低く、
前記第１フィールド期間乃至前記第６フィールド期間において、前記光供給部から前記画素部に前記第１の色相乃至前記第３の色相の光が供給されていない第３の期間では、前記右目用のシャッターまたは前記左目用のシャッターのいずれか一方の透過率が前記第１の期間における前記右目用のシャッターまたは前記左目用のシャッターのいずれか一方の透過率よりも低く、なおかつ前記右目用のシャッターまたは前記左目用のシャッターのいずれか他方の透過率が前記第２の期間における前記右目用のシャッターまたは前記左目用のシャッターのいずれか他方の透過率よりも低い液晶表示装置の駆動方法。
【発明の詳細な説明】
【技術分野】
【０００１】
三次元画像の表示を行う液晶表示装置とその駆動方法に関する。
【背景技術】
【０００２】
三次元画像に対応した表示装置の市場が拡大傾向にある。三次元画像の表示は、両眼で立体の対象物を見たときに生ずるであろう、両眼間の網膜像の差異（両眼視差）を表示装置において作為的に作り出すことで、行うことができる。上記両眼視差を利用した三次元画像用の表示装置は、眼鏡を用いる表示方式と、眼鏡を用いない表示方式に大別されるが、いずれの表示方式においても、画像を表示する画像表示部において、右目用画像と左目用画像を両方表示する必要がある。
【０００３】
ところで、三次元画像の表示を行う液晶表示装置も、二次元画像の表示を行う液晶表示装置と同様に、バックライトやフロントライトなどの光供給部における消費電力が、液晶表示装置全体の消費電力に大きく影響を及ぼす。そのため、パネルの内部における光の損失を如何に低減できるかが消費電力削減の重要なポイントとなる。カラーフィルタによる光の損失の問題を回避するためには、フィールドシーケンシャル駆動（ＦＳ駆動）が有効である。ＦＳ駆動は、異なる色相の光を発する複数の光源を順次点灯させることでフルカラーの画像を表示する駆動方法である。ＦＳ駆動ではカラーフィルタを用いる必要がないため、パネルの内部における光の損失を低減することができ、パネルの透過率を高めることができる。よって、光供給部からの光の利用効率を高めることができ、液晶表示装置全体の消費電力を低減させることができる。また、ＦＳ駆動では、１つの画素で各色に対応する画像の表示を行うことができるため、高精細な画像の表示を行うことができる。
【０００４】
下記の特許文献１には、三次元画像の表示を行うことができる、ＦＳ駆動の液晶表示装置について記載されている。
【先行技術文献】
【特許文献】
【０００５】
【特許文献１】特開２００３−２５９３９５号公報
【発明の概要】
【発明が解決しようとする課題】
【０００６】
しかし、ＦＳ駆動では、各色の画像が合成されずに個別に視認される、カラーブレイクと呼ばれる現象が起こりやすい。特に、カラーブレイクは動画を表示する際に顕著に起こりやすい。
【０００７】
特に、画面において左目用画像と右目用画像を交互に表示し、それらをシャッター付きの眼鏡を通して見ることにより、人間の目に三次元画像を認識させる駆動方式の場合、二次元画像の表示を行う場合に比べて、フレーム周波数が低くなりやすい。そのため、カラーブレイクが視認されやすくなる。
【０００８】
また、三次元画像の表示を行う液晶表示装置は、二次元画像の表示を行う液晶表示装置よりもフレーム周波数が低くなりやすいため、画面がちらついて見えるフリッカと呼ばれる現象が生じやすい。
【０００９】
上述の課題に鑑み、本発明は、消費電力を低く抑え、カラーブレイクの発生を防ぎ、フルカラーの三次元画像の表示を行うことができる液晶表示装置の駆動方法の提案を課題の一つとする。或いは、本発明は、消費電力を低く抑え、フリッカの発生を防ぎ、フルカラーの画像の表示を行うことができる液晶表示装置の駆動方法の提案を課題の一つとする。或いは、本発明は、消費電力を低く抑え、カラーブレイクの発生またはフリッカの発生を防ぎ、フルカラーの三次元画像の表示を行うことができる液晶表示装置の提案を課題の一つとする。
【課題を解決するための手段】
【００１０】
上記課題を解決するために、本発明の一態様に係る駆動方法では、１フレーム期間が有する複数のフィールド期間のうち、任意のフィールド期間において、画素部が有する奇数行の画素に画像信号の入力を行う。また、上記フィールド期間の次に出現するフィールド期間において、画素部が有する偶数行の画素に画像信号の入力を行う。すなわち、本発明の一態様に係る駆動方法では、奇数行の画素に画像信号の入力を行うフィールド期間と、偶数行の画素に画像信号の入力を行うフィールド期間とを、交互に設けることを特徴とする。
【００１１】
そして、本発明の一態様では、光供給部から画素部に供給される光の色相が、連続する２つのフィールド期間どうしで異なるものとする。さらに、１フレーム期間が有する複数のフィールド期間のうち、奇数行の画素に画像信号の入力を行う複数のフィールド期間どうしで、或いは、偶数行の画素に画像信号の入力を行う複数のフィールド期間どうしで、光供給部から画素部に供給される光の色相が異なるものとする。
【００１２】
また、本発明の一態様に係る駆動方法では、複数のフィールド期間のうち任意のフィールド期間において右目用画像の表示を行い、上記フィールド期間の次に出現するフィールド期間において左目用画像の表示を行うことで、三次元画像の表示を行う。
【発明の効果】
【００１３】
本発明の一態様では、上記構成により、１フレーム期間が有する複数のフィールド期間のうち、任意の連続する２フィールド期間おいて、奇数行の画素に表示される画像と、偶数行の画素に表示される画像とが、異なる色相に対応することになる。なおかつ、１フレーム期間において奇数行の画素に表示される画像は、フィールド期間によって異なる色相に対応する。或いは、１フレーム期間において偶数行の画素に表示される画像は、フィールド期間によって異なる色相に対応する。よって、各色相に対応した画像が合成されずに個別に視認されるのを防ぐことができ、動画の表示を行う際に起きやすかったカラーブレイクの発生を防ぐことができる。よって、本発明の駆動方法を採用することにより、液晶表示装置において、消費電力を低く抑え、カラーブレイクの発生を防ぎ、フルカラーの二次元、或いは三次元画像の表示を行うことができる。
【００１４】
また、本発明の一態様では、奇数行の画素に表示される画像と偶数行の画素に表示される画像とを合成することで画像の表示を行っているため、フリッカの発生を抑えることができる。よって、本発明の駆動方法を採用することにより、消費電力を低く抑え、フリッカの発生を防ぎ、フルカラーの画像の表示を行うことができる。そして、フリッカの発生を抑えることで、使用者の目の疲労を抑えることができる。
【図面の簡単な説明】
【００１５】
【図１】液晶表示装置のブロック図。
【図２】画素部の回路図。
【図３】画素部の動作の一例を模式的に示した図。
【図４】画素の配列の一部を模式的に示した図。
【図５】画素の配列の一部を模式的に示した図。
【図６】画素の配列の一部を模式的に示した図。
【図７】画素部の動作の一例を模式的に示した図。
【図８】液晶表示装置の動作を示すタイミングチャート。
【図９】画素部と遮光部の動作を模式的に示す図。
【図１０】画像表示部のブロック図。
【図１１】パネルのブロック図。
【図１２】画素の上面図及び断面図。
【図１３】パネルの上面図及び断面図。
【図１４】液晶表示装置の構成を示す斜視図。
【図１５】液晶表示装置の構成を示す斜視図。
【図１６】電子機器の図。
【発明を実施するための形態】
【００１６】
以下では、本発明の実施の形態について図面を用いて詳細に説明する。ただし、本発明は以下の説明に限定されず、本発明の趣旨及びその範囲から逸脱することなくその形態及び詳細を様々に変更し得ることは、当業者であれば容易に理解される。したがって、本発明は、以下に示す実施の形態の記載内容に限定して解釈されるものではない。
【００１７】
（実施の形態１）
図１は、本発明の一態様に係る駆動方法に用いられる、液晶表示装置の構成例を示すブロック図である。液晶表示装置１００は、画像の表示を行う画像表示部１０１と、右目用画像と左目用画像の選択を行う遮光部１０２と、画像表示部１０１における画像の表示と、遮光部１０２における右目用画像と左目用画像の選択とを同期させる制御部１０３と、光供給部１０４とを有する。
【００１８】
画像表示部１０１は画素部１０５に複数の画素１０６を有する。画素１０６は、液晶素子を有しており、画像信号に従って上記液晶素子が階調を表示することで、画素部１０５に画像を表示することができる。
【００１９】
画素部１０５が有する複数の画素１０６は、第１表示領域１０７と第２表示領域１０８とに分けられる。具体的に、第１表示領域１０７は奇数行の画素１０６で構成されており、第２表示領域１０８は偶数行の画素１０６で構成されている。よって、第１表示領域１０７と第２表示領域１０８は、画素部１０５において交互に配置されることとなる。
【００２０】
そして、本発明の一態様では、任意のフィールド期間において第１表示領域１０７を構成する画素１０６に画像信号を入力した後に、上記フィールド期間の次に出現するフィールド期間において、第２表示領域１０８を構成する画素１０６に画像信号を入力する。上記構成により、複数のフィールド期間を通して、画素部１０５が有する全ての画素１０６に、少なくとも１回は画像信号を書き込むことができる。
【００２１】
そして、複数のフィールド期間を通して、第１表示領域１０７に奇数行の画素に対応する画像と、第２表示領域１０８に偶数行の画素に対応する画像とが順に表示されることで、二次元画像の表示を行うことができる。また、複数のフィールド期間を通して、第１表示領域１０７と第２表示領域１０８に、右目用画像と左目用画像とが順に表示されることで、三次元画像の表示を行うことができる。
【００２２】
また、光供給部１０４は、異なる色相の光を発する複数の光源を有する。そして、上記光源を順に、または同時に発光させることで、複数の色相に対応した光を画素部１０５に順に供給することができる。光供給部１０４の光源としては、冷陰極蛍光ランプ、発光ダイオード（ＬＥＤ）、電場を加えることでルミネッセンス（Ｅｌｅｃｔｒｏｌｕｍｉｎｅｓｃｅｎｃｅ）が発生するＯＬＥＤ素子などを用いることができる。
【００２３】
また、図１では、遮光部１０２が、画素部１０５から送られてくる左目用画像に対応した光を、左目に選択的に入射させることができる左目用光制御部１０９と、画素部１０５から送られてくる右目用画像に対応した光を、右目に選択的に入射させることができる右目用光制御部１１０とを有している。左目用光制御部１０９と右目用光制御部１１０は、電流または電圧の供給により透過率を変化させることで、使用者の目に入射する光量を制限することができる、液晶パネルなどのシャッターを用いることができる。この場合、左目用光制御部１０９と右目用光制御部１１０は、互いに独立した液晶パネルをそれぞれ有していても良いが、一の液晶パネルを共有していても良い。後者の場合、上記液晶パネルのうち、左目用光制御部１０９として用いる領域と、右目用光制御部１１０として用いる領域とで、別個に透過率の制御を行えばよい。
【００２４】
制御部１０３は、画素部１０５内の第１表示領域１０７と第２表示領域１０８のいずれかに左目用画像が表示されている期間において、左目用光制御部１０９の透過率を高くして、右目用光制御部１１０の透過率を低く、理想的には０％にするように、画像表示部１０１と遮光部１０２の動作を同期させる。また、画素部１０５内の第１表示領域１０７と第２表示領域１０８のいずれかに右目用画像が表示されている期間において、左目用光制御部１０９の透過率を低く、理想的には０％にして、右目用光制御部１１０の透過率を高くするように、制御部１０３は、画像表示部１０１と遮光部１０２の動作を同期させる。さらに、画素部１０５内の第１表示領域１０７と第２表示領域１０８のいずれかに左目用画像、或いは右目用画像の画像信号の書き込みが行われる書き込み期間においては、左目用光制御部１０９及び右目用光制御部１１０の透過率を低く、理想的には０％にして、制御部１０３は、画像表示部１０１と遮光部１０２の動作とを同期させる。
【００２５】
制御部１０３によって、上述したように、画像表示部１０１と遮光部１０２の動作が同期することで、使用者の左目に左目用画像が映り、次いで、右目に右目用画像が映るという動作を交互に行うことができる。上記構成により、使用者は左目用画像と右目用画像により構成される三次元画像を認識することができる。
【００２６】
なお、左目用光制御部１０９と右目用光制御部１１０は、シャッターの代わりに、偏光方向により使用者の目に入射する光を選択することができる偏光板を用いていても良い。この場合、画像表示部１０１と遮光部１０２の動作を同期させる必要はないため、制御部１０３は必ずしも設ける必要がない。そして、左目用光制御部１０９と右目用光制御部１１０に偏光板を用いる場合、第１表示領域１０７から発せられる光と、第２表示領域１０８から発せられる光の偏光方向が互いに異なるように、画素部１０５と遮光部１０２の間に、偏光方向を変える手段を設ける。上記構成により、第１表示領域１０７からの光が左目用光制御部１０９と右目用光制御部１１０のいずれか一方を選択的に透過し、第２表示領域１０８からの光が左目用光制御部１０９と右目用光制御部１１０のいずれか他方を選択的に透過する。
【００２７】
次いで、本発明の一態様に係る液晶表示装置の、画素部１０５の具体的な構成を一例として図２に示す。
【００２８】
図２において、画素部１０５が有する各画素１０６は、液晶素子１１１と、当該液晶素子１１１への画像信号の供給を制御するトランジスタ１１２と、液晶素子１１１の画素電極と共通電極間の電圧を保持するための容量素子１１３とを有する。液晶素子１１１は、画素電極と、共通電極と、画素電極と共通電極間の電圧が印加される液晶を含んだ液晶層とを有している。
【００２９】
液晶層には、例えば、サーモトロピック液晶またはリオトロピック液晶に分類される液晶材料を用いることができる。或いは、液晶層には、例えば、ネマチック液晶、スメクチック液晶、コレステリック液晶、または、ディスコチック液晶に分類される液晶材料を用いることができる。或いは、液晶層には、例えば、強誘電性液晶、または反強誘電性液晶に分類される液晶材料を用いることができる。或いは、液晶層には、例えば、主鎖型高分子液晶、側鎖型高分子液晶、或いは、複合型高分子液晶などの高分子液晶、または低分子液晶に分類される液晶材料を用いることができる。或いは、液晶層には、例えば、高分子分散型液晶（ＰＤＬＣ）に分類される液晶材料を用いることができる。
【００３０】
また、配向膜を用いないブルー相を示す液晶を液晶層に用いてもよい。ブルー相は液晶相の一つであり、コレステリック液晶を昇温していくと、コレステリック相から等方相へ転移する直前に発現する相である。ブルー相は狭い温度範囲でしか発現しないため、カイラル剤や紫外線硬化樹脂を添加して温度範囲を改善する。ブルー相を示す液晶とカイラル剤とを含む液晶組成物は、応答速度が１ｍｓｅｃ以下と短く、光学的等方性であるため配向処理が不要であり、視野角依存性が小さいため好ましい。
【００３１】
また液晶の駆動方法としては、ＴＮ（Ｔｗｉｓｔｅｄ  Ｎｅｍａｔｉｃ）モード、ＳＴＮ（Ｓｕｐｅｒ  Ｔｗｉｓｔｅｄ  Ｎｅｍａｔｉｃ）モード、ＶＡ（Ｖｅｒｔｉｃａｌ  Ａｌｉｇｎｍｅｎｔ）モード、ＩＰＳ（Ｉｎ−Ｐｌａｎｅ  Ｓｗｉｔｃｈｉｎｇ）モード、ＯＣＢ（Ｏｐｔｉｃａｌｌｙ  Ｃｏｍｐｅｎｓａｔｅｄ  Ｂｉｒｅｆｒｉｎｇｅｎｃｅ）モード、ＦＦＳ（Ｆｒｉｎｇｅ  Ｆｉｅｌｄ  Ｓｗｉｔｃｈｉｎｇ）モード、ブルー相モード、ＴＢＡ（Ｔｒａｎｓｖｅｒｓｅ  Ｂｅｎｄ  Ａｌｉｇｎｍｅｎｔ）モード、ＶＡ−ＩＰＳモード、ＥＣＢ（Ｅｌｅｃｔｒｉｃａｌｌｙ  Ｃｏｎｔｒｏｌｌｅｄ  Ｂｉｒｅｆｒｉｎｇｅｎｃｅ）モード、ＦＬＣ（Ｆｅｒｒｏｅｌｅｃｔｒｉｃ  Ｌｉｑｕｉｄ  Ｃｒｙｓｔａｌ）モード、ＡＦＬＣ（ＡｎｔｉＦｅｒｒｏｅｌｅｃｔｒｉｃ  Ｌｉｑｕｉｄ  Ｃｒｙｓｔａｌ）モード、ＰＤＬＣ（Ｐｏｌｙｍｅｒ  Ｄｉｓｐｅｒｓｅｄ  Ｌｉｑｕｉｄ  Ｃｒｙｓｔａｌ）モード、ＰＮＬＣ（Ｐｏｌｙｍｅｒ  Ｎｅｔｗｏｒｋ  Ｌｉｑｕｉｄ  Ｃｒｙｓｔａｌ）モードなどを適用することが可能である。
【００３２】
そして、上記複数の画素１０６には、上記複数の画素１０６を選択するための複数の走査線と、選択された画素１０６に画像信号を供給するための複数の信号線とが、それぞれ接続されている。具体的に、各画素１０６は、信号線Ｓ１から信号線Ｓｘの少なくとも１つと、走査線Ｇ１から走査線Ｇｙの少なくとも１つとに接続されている。
【００３３】
トランジスタ１１２は、液晶素子１１１の画素電極に、信号線の電位を与えるか否かを制御する。液晶素子１１１の共通電極には、所定の基準電位が与えられている。
【００３４】
なお、トランジスタが有するソース端子とドレイン端子は、トランジスタの極性及び各電極に与えられる電位の高低によって、その呼び方が入れ替わる。一般的に、ｎチャネル型トランジスタでは、低い電位が与えられる電極がソース端子と呼ばれ、高い電位が与えられる電極がドレイン端子と呼ばれる。また、ｐチャネル型トランジスタでは、低い電位が与えられる電極がドレイン端子と呼ばれ、高い電位が与えられる電極がソース端子と呼ばれる。以下、ソース電極とドレイン電極のいずれか一方を第１端子、他方を第２端子とし、トランジスタ１１２と液晶素子１１１の具体的な接続関係について説明する。
【００３５】
また、トランジスタのソース端子とは、活性層の一部であるソース領域、或いは活性層に接続されたソース電極を意味する。同様に、トランジスタのドレイン端子とは、活性層の一部であるドレイン領域、或いは活性層に接続されたドレイン電極を意味する。
【００３６】
トランジスタ１１２のゲート電極は走査線Ｇ１から走査線Ｇｙのいずれか１つに接続されている。トランジスタ１１２の第１端子は信号線Ｓ１から信号線Ｓｘのいずれか１つに接続され、トランジスタ１１２の第２端子は、液晶素子１１１の画素電極に接続されている。
【００３７】
図２に示す画素部１０５の場合、走査線Ｇ１乃至走査線Ｇｙの１つに接続された画素１０６が、１行の画素１０６に相当する。よって、奇数行の走査線Ｇ１、走査線Ｇ３、走査線Ｇ５．．．に接続された画素１０６が、図１で示した第１表示領域１０７を構成している。また、偶数行の走査線Ｇ２、走査線Ｇ４、走査線Ｇ６．．．に接続された画素１０６が、図１で示した第２表示領域１０８を構成している。
【００３８】
なお、画素１０６は、必要に応じて、トランジスタ、ダイオード、抵抗素子、容量素子、インダクタなどのその他の回路素子を、さらに有していても良い。
【００３９】
図２では、画素１０６において、一のトランジスタ１１２をスイッチング素子として用いている場合について示しているが、本発明はこの構成に限定されない。一のスイッチング素子として機能する複数のトランジスタを用いていても良い。複数のトランジスタが一のスイッチング素子として機能する場合、上記複数のトランジスタは並列に接続されていても良いし、直列に接続されていても良いし、直列と並列が組み合わされて接続されていても良い。
【００４０】
本明細書において、トランジスタが直列に接続されている状態とは、例えば、第１のトランジスタの第１端子と第２端子のいずれか一方のみが、第２のトランジスタの第１端子と第２端子のいずれか一方のみに接続されている状態を意味する。また、トランジスタが並列に接続されている状態とは、第１のトランジスタの第１端子が第２のトランジスタの第１端子に接続され、第１のトランジスタの第２端子が第２のトランジスタの第２端子に接続されている状態を意味する。
【００４１】
なお、本明細書において接続とは電気的な接続を意味しており、電流、電圧または電位が、供給可能、或いは伝送可能な状態に相当する。従って、接続している状態とは、直接接続している状態を必ずしも指すわけではなく、電流、電圧または電位が、供給可能、或いは伝送可能であるように、配線、抵抗、ダイオード、トランジスタなどの回路素子を介して間接的に接続している状態も、その範疇に含む。
【００４２】
また、回路図上は独立している構成要素どうしが接続されている場合であっても、実際には、例えば配線の一部が電極として機能する場合など、一の導電膜が、複数の構成要素の機能を併せ持っている場合もある。本明細書において接続とは、このような、一の導電膜が、複数の構成要素の機能を併せ持っている場合も、その範疇に含める。
【００４３】
次いで、三次元画像の表示を行う場合の、図２に示す画素部１０５の動作の一例について説明する。
【００４４】
まず、走査線Ｇ１にパルスを有する信号が入力されることで、走査線Ｇ１が選択される。選択された走査線Ｇ１に接続された複数の各画素１０６において、トランジスタ１１２がオンになる。そして、トランジスタ１１２がオンの状態の時に、信号線Ｓ１から信号線Ｓｘに画像信号の電位が与えられると、オンのトランジスタ１１２を介して、容量素子１１３に電荷が蓄積され、画像信号の電位が液晶素子１１１の画素電極に与えられる。
【００４５】
液晶素子１１１では、画素電極と共通電極の間に与えられる電圧の値に従って、液晶分子の配向が変化し、透過率が変化する。よって、液晶素子１１１は、画像信号の電位によってその透過率が制御されることで、階調を表示することができる。
【００４６】
信号線Ｓ１から信号線Ｓｘへの画像信号の入力が終了すると、走査線Ｇ１の選択は終了する。走査線Ｇ１の選択が終了すると、該走査線Ｇ１に接続された画素１０６において、トランジスタ１１２がオフになる。すると、液晶素子１１１は、画素電極と共通電極の間に与えられた電圧を保持することで、階調の表示を維持する。
【００４７】
次いで、走査線Ｇ２にパルスを有する信号が入力されることで、走査線Ｇ２が選択される。選択された走査線Ｇ２に接続された複数の各画素１０６において、トランジスタ１１２がオンになる。そして、トランジスタ１１２がオンの状態の時に、信号線Ｓ１から信号線Ｓｘに画像情報を有さないブランク信号の電位が与えられると、オンのトランジスタ１１２を介して、上記ブランク信号の電位が液晶素子１１１の画素電極に与えられる。液晶素子１１１は、ブランク信号の電位によってその透過率が制御されることで、単一の階調を表示する。
【００４８】
信号線Ｓ１から信号線Ｓｘへのブランク信号の入力が終了すると、走査線Ｇ２の選択は終了する。走査線Ｇ２の選択が終了すると、該走査線Ｇ２に接続された画素１０６において、トランジスタ１１２がオフになる。すると、液晶素子１１１は、画素電極と共通電極の間に与えられた電圧を保持することで、階調の表示を維持する。そして、次に、走査線Ｇ３が選択され、走査線Ｇ１が選択されていた期間と同様の動作が、走査線Ｇ３に接続された画素において行われる。次いで、走査線Ｇ４が選択され、走査線Ｇ２が選択されていた期間と同様の動作が、走査線Ｇ４に接続された画素において行われる。
【００４９】
上記動作を繰り返すことで、図１に示した第１表示領域１０７において画像を表示することができ、第２表示領域１０８において画像情報を有さない単一の階調を表示することができる。そして、画素部１０５を構成する第１表示領域１０７と第２表示領域１０８の全ての画素において表示が行われるまでの期間を第１フィールド期間とすると、次の第２フィールド期間では、第１表示領域１０７において画像情報を有さない単一の階調を表示し、第２表示領域１０８において画像を表示する。
【００５０】
そして、第１フィールド期間において第１表示領域１０７に右目用画像が表示され、第２フィールド期間において第２表示領域１０８に左目用画像が表示されることで、三次元画像の表示を行うことができる。
【００５１】
また、本発明では、任意の連続する２フィールド期間おいて、第１表示領域１０７に表示される画像と、第２表示領域１０８に表示される画像とが、異なる色相に対応する。なおかつ、１フレーム期間において第１表示領域１０７に表示される画像は、フィールド期間によって異なる色相に対応する。或いは、１フレーム期間において第２表示領域１０８に表示される画像は、フィールド期間によって異なる色相に対応する。上記構成により、本発明の一態様では、フルカラーの画像の表示を行うことができる。
【００５２】
図３は、６つのフィールド期間を通して第１表示領域１０７と第２表示領域１０８に順にモノカラーの画像の表示を行うことにより、フルカラーの三次元画像の表示を行う場合の、画素部１０５の動作の一例を模式的に示した図である。
【００５３】
なお、フルカラーの画像とは、異なる色相の色を複数用い、各色の階調により表示される画像を意味する。また、モノカラーの画像とは、単一の色相の色を用い、その色の階調により表示される画像を意味する。
【００５４】
図３（Ａ）に、第１フィールド期間における画素部１０５の動作を示す。第１表示領域１０７には、赤色に対応した右目用画像（右Ｒ）が表示されている。第２表示領域１０８には、単一な階調（ＢＬ）が表示されている。
【００５５】
図４（Ａ）に、図３（Ａ）に示した第１表示領域１０７と第２表示領域１０８を構成する画素の配列の一部を、一例として模式的に示す。図４（Ａ）では、第１表示領域１０７を構成する、走査線Ｇ１、走査線Ｇ３、走査線Ｇ５、走査線Ｇ７、走査線Ｇ９に接続された画素に、赤色に対応した右目用画像（右Ｒ）が表示されている。また、図４（Ａ）では、第２表示領域１０８を構成する、走査線Ｇ２、走査線Ｇ４、走査線Ｇ６、走査線Ｇ８に接続された画素に、単一な階調（ＢＬ）が表示されている。
【００５６】
図３（Ｂ）に、第２フィールド期間における画素部１０５の動作を示す。第１表示領域１０７には、単一な階調（ＢＬ）が表示されている。第２表示領域１０８には、緑色に対応した左目用画像（左Ｇ）が表示されている。
【００５７】
図４（Ｂ）に、図３（Ｂ）に示した第１表示領域１０７と第２表示領域１０８を構成する画素の配列の一部を、一例として模式的に示す。図４（Ｂ）では、第１表示領域１０７を構成する、走査線Ｇ１、走査線Ｇ３、走査線Ｇ５、走査線Ｇ７、走査線Ｇ９に接続された画素に、単一な階調（ＢＬ）が表示されている。また、図４（Ｂ）では、第２表示領域１０８を構成する、走査線Ｇ２、走査線Ｇ４、走査線Ｇ６、走査線Ｇ８に接続された画素に、緑色に対応した左目用画像（左Ｇ）が表示されている。
【００５８】
図３（Ｃ）に、第３フィールド期間における画素部１０５の動作を示す。第１表示領域１０７には、青色に対応した右目用画像（右Ｂ）が表示されている。第２表示領域１０８には、単一な階調（ＢＬ）が表示されている。
【００５９】
図５（Ａ）に、図３（Ｃ）に示した第１表示領域１０７と第２表示領域１０８を構成する画素の配列の一部を、一例として模式的に示す。図５（Ａ）では、第１表示領域１０７を構成する、走査線Ｇ１、走査線Ｇ３、走査線Ｇ５、走査線Ｇ７、走査線Ｇ９に接続された画素に、青色に対応した右目用画像（右Ｂ）が表示されている。また、図５（Ａ）では、第２表示領域１０８を構成する、走査線Ｇ２、走査線Ｇ４、走査線Ｇ６、走査線Ｇ８に接続された画素に、単一な階調（ＢＬ）が表示されている。
【００６０】
図３（Ｄ）に、第４フィールド期間における画素部１０５の動作を示す。第１表示領域１０７には、単一な階調（ＢＬ）が表示されている。第２表示領域１０８には、赤色に対応した左目用画像（左Ｒ）が表示されている。
【００６１】
図５（Ｂ）に、図３（Ｄ）に示した第１表示領域１０７と第２表示領域１０８を構成する画素の配列の一部を、一例として模式的に示す。図５（Ｂ）では、第１表示領域１０７を構成する、走査線Ｇ１、走査線Ｇ３、走査線Ｇ５、走査線Ｇ７、走査線Ｇ９に接続された画素に、単一な階調（ＢＬ）が表示されている。また、図５（Ｂ）では、第２表示領域１０８を構成する、走査線Ｇ２、走査線Ｇ４、走査線Ｇ６、走査線Ｇ８に接続された画素に、赤色に対応した左目用画像（左Ｒ）が表示されている。
【００６２】
図３（Ｅ）に、第５フィールド期間における画素部１０５の動作を示す。第１表示領域１０７には、緑色に対応した右目用画像（右Ｇ）が表示されている。第２表示領域１０８には、単一な階調（ＢＬ）が表示されている。
【００６３】
図６（Ａ）に、図３（Ｅ）に示した第１表示領域１０７と第２表示領域１０８を構成する画素の配列の一部を、一例として模式的に示す。図６（Ａ）では、第１表示領域１０７を構成する、走査線Ｇ１、走査線Ｇ３、走査線Ｇ５、走査線Ｇ７、走査線Ｇ９に接続された画素に、緑色に対応した右目用画像（右Ｇ）が表示されている。また、図６（Ａ）では、第２表示領域１０８を構成する、走査線Ｇ２、走査線Ｇ４、走査線Ｇ６、走査線Ｇ８に接続された画素に、単一な階調（ＢＬ）が表示されている。
【００６４】
図３（Ｆ）に、第６フィールド期間における画素部１０５の動作を示す。第１表示領域１０７には、単一な階調（ＢＬ）が表示されている。第２表示領域１０８には、青色に対応した左目用画像（左Ｂ）が表示されている。
【００６５】
図６（Ｂ）に、図３（Ｆ）に示した第１表示領域１０７と第２表示領域１０８を構成する画素の配列の一部を、一例として模式的に示す。図６（Ｂ）では、第１表示領域１０７を構成する、走査線Ｇ１、走査線Ｇ３、走査線Ｇ５、走査線Ｇ７、走査線Ｇ９に接続された画素に、単一な階調（ＢＬ）が表示されている。また、図６（Ｂ）では、第２表示領域１０８を構成する、走査線Ｇ２、走査線Ｇ４、走査線Ｇ６、走査線Ｇ８に接続された画素に、青色に対応した左目用画像（左Ｂ）が表示されている。
【００６６】
上記第１フィールド期間乃至第６フィールド期間における画像の表示により、フルカラーの三次元画像を表示することができる。
【００６７】
上述したように、本発明の一態様では、任意の連続する２フィールド期間おいて、第１表示領域１０７に表示される画像と、第２表示領域１０８に表示される画像とが、異なる色相に対応する。なおかつ、１フレーム期間において第１表示領域１０７に表示される画像は、フィールド期間によって異なる色相に対応する。或いは、１フレーム期間において第２表示領域１０８に表示される画像は、フィールド期間によって異なる色相に対応する。本発明は上記構成により、各色相に対応した画像が合成されずに個別に視認されるのを防ぐことができ、動画の表示を行う際に起きやすかったカラーブレイクの発生を防ぐことができる。よって、本発明の駆動方法を採用することにより、液晶表示装置において、消費電力を低く抑え、カラーブレイクの発生を防ぎ、フルカラーの三次元画像の表示を行うことができる。また、本発明の一態様では、奇数行の画素に表示される右目用画像と偶数行の画素に表示される左目用画像とを合成することで三次元画像の表示を行っているため、フリッカの発生を抑えることができる。
【００６８】
なお、図３ではフルカラーの三次元画像の表示を行う場合を例に挙げているが、本発明の一態様に係る駆動方法を用いることで、二次元画像の表示を行うこともできる。
【００６９】
図７は、６つのフィールド期間を通して第１表示領域１０７と第２表示領域１０８に順にモノカラーの画像の表示を行うことにより、フルカラーの二次元画像の表示を行う場合の、画素部１０５の動作の一例を模式的に示した図である。二次元画像の表示を行う場合は、第１表示領域１０７に奇数行の画素に対応する画像と、第２表示領域１０８に偶数行の画素に対応する画像とを順に表示する。
【００７０】
図７（Ａ）に、第１フィールド期間における画素部１０５の動作を示す。第１表示領域１０７には、赤色に対応した奇数行の画像（Ｒ１）が表示されている。第２表示領域１０８には、単一な階調（ＢＬ）が表示されている。
【００７１】
図７（Ｂ）に、第２フィールド期間における画素部１０５の動作を示す。第１表示領域１０７には、単一な階調（ＢＬ）が表示されている。第２表示領域１０８には、緑色に対応した偶数行の画像（Ｇ２）が表示されている。
【００７２】
図７（Ｃ）に、第３フィールド期間における画素部１０５の動作を示す。第１表示領域１０７には、青色に対応した奇数行の画像（Ｂ１）が表示されている。第２表示領域１０８には、単一な階調（ＢＬ）が表示されている。
【００７３】
図７（Ｄ）に、第４フィールド期間における画素部１０５の動作を示す。第１表示領域１０７には、単一な階調（ＢＬ）が表示されている。第２表示領域１０８には、赤色に対応した偶数行の画像（Ｒ２）が表示されている。
【００７４】
図７（Ｅ）に、第５フィールド期間における画素部１０５の動作を示す。第１表示領域１０７には、緑色に対応した奇数行の画像（Ｇ１）が表示されている。第２表示領域１０８には、単一な階調（ＢＬ）が表示されている。
【００７５】
図７（Ｆ）に、第６フィールド期間における画素部１０５の動作を示す。第１表示領域１０７には、単一な階調（ＢＬ）が表示されている。第２表示領域１０８には、青色に対応した偶数行の画像（Ｂ２）が表示されている。
【００７６】
上記第１フィールド期間乃至第６フィールド期間における画像の表示により、フルカラーの二次元画像を表示することができる。
【００７７】
そして、二次元画像の表示を行う際も、本発明の一態様では、任意の連続する２フィールド期間おいて、第１表示領域１０７に表示される奇数行の画像と、第２表示領域１０８に表示される偶数行の画像とが、異なる色相に対応する。なおかつ、１フレーム期間において第１表示領域１０７に表示される奇数行の画像は、フィールド期間によって異なる色相に対応する。或いは、１フレーム期間において第２表示領域１０８に表示される偶数行の画像は、フィールド期間によって異なる色相に対応する。本発明は上記構成により、各色相に対応した画像が合成されずに個別に視認されるのを防ぐことができ、動画の表示を行う際に起きやすかったカラーブレイクの発生を防ぐことができる。よって、本発明の駆動方法を採用することにより、液晶表示装置において、消費電力を低く抑え、カラーブレイクの発生を防ぎ、フルカラーの二次元画像の表示を行うことができる。また、本発明の一態様では、奇数行の画像と偶数行の画像とを合成することで二次元画像の表示を行っているため、フリッカの発生を抑えることができる。
【００７８】
なお、本実施の形態では、１フィールド期間において画素部に一つの色相の光が供給されている場合を例示しているが、本発明はこの構成に限定されない。本発明の一態様では、１フィールド期間において画素部に複数の色相の光が供給されていても良い。上記複数の色相の光が画素部に供給されることで、１フィールド期間において画素部に、複数の各色相に対応した画像が並行して表示されることになる。上記構成により、各色相に対応した画像が合成されずに個別に視認されるのをさらに効果的に防ぐことができ、動画の表示を行う際に起きやすかったカラーブレイクの発生をより防ぐことができる。
【００７９】
次いで、図１に示した液晶表示装置１００において、左目用光制御部１０９と右目用光制御部１１０にシャッターを用いた場合の、画素部１０５の動作と、遮光部１０２における左目用光制御部１０９及び右目用光制御部１１０の動作と、光供給部１０４の動作との、同期の取り方について説明する。
【００８０】
図８は、第１表示領域１０７及び第２表示領域１０８の動作のタイミングと、光供給部１０４の動作のタイミングと、左目用光制御部１０９及び右目用光制御部１１０の透過率の変化のタイミングを、一例として示すタイミングチャートである。
【００８１】
まず、第１フィールド期間において、書き込み期間Ｔａ１（Ｒ）が開始されると、第１表示領域１０７が有する画素１０６に赤色に対応した右目用画像（右Ｒ）の画像信号が書き込まれ、第２表示領域１０８が有する画素１０６にブランク信号が書き込まれる。そして、第１表示領域１０７が有する画素１０６では、書き込まれた画像信号に従って、液晶素子の透過率が制御される。また、第２表示領域１０８が有する画素１０６では、書き込まれたブランク信号に従って、液晶素子の透過率が制御される。しかし、上記書き込み期間Ｔａ１（Ｒ）では、光供給部１０４が消灯しているため、第１表示領域１０７及び第２表示領域１０８における表示は行われない。
【００８２】
そして、上記書き込み期間Ｔａ１（Ｒ）では、左目用光制御部１０９及び右目用光制御部１１０の透過率が低下し、非透過の状態になる。
【００８３】
次いで、赤色に対応した右目用画像（右Ｒ）の表示期間Ｔｒ１（Ｒ）が開始される。表示期間Ｔｒ１（Ｒ）では、光供給部１０４が点灯し、赤色の光が画素部１０５に供給される。第１表示領域１０７の画素１０６では、液晶素子の透過率が画像信号に従って制御された状態である。よって、光供給部１０４の点灯により、第１表示領域１０７において赤色に対応した右目用画像（右Ｒ）の表示が行われる。また、第２表示領域１０８の画素１０６では、液晶素子の透過率がブランク信号に従って制御された状態である。よって、光供給部１０４の点灯により、第２表示領域１０８において単一な階調（ＢＬ）の表示が行われる。
【００８４】
そして、表示期間Ｔｒ１（Ｒ）では、右目用光制御部１１０の透過率が高くなり、透過の状態になる。一方、左目用光制御部１０９の透過率は低下したままであり、非透過の状態にある。よって、画素部１０５からの光は右目用光制御部１１０を通るため、画素部１０５に表示された右目用画像（右Ｒ）及び単一な階調（ＢＬ）は、使用者の右目に選択的に映る。
【００８５】
図９（Ａ）に、表示期間Ｔｒ１（Ｒ）における画素部１０５と、遮光部１０２の動作を模式的に示す。図９（Ａ）において、右目用光制御部１１０は透過の状態にあり、左目用光制御部１０９は非透過の状態にある。よって、破線で示すように、画素部１０５からの光は、左目用光制御部１０９を通過せずに、右目用光制御部１１０を通って使用者の右目に入射する。そのため、使用者は、第１表示領域１０７に表示されている右目用画像（右Ｒ）を右目で見ることができる。
【００８６】
次いで、第２フィールド期間において、書き込み期間Ｔａ２（Ｇ）が開始されると、第１表示領域１０７が有する画素１０６にブランク信号が書き込まれ、第２表示領域１０８が有する画素１０６に緑色に対応した左目用画像（左Ｇ）用の画像信号が書き込まれる。そして、第１表示領域１０７が有する画素１０６では、書き込まれたブランク信号に従って、液晶素子の透過率が制御される。また、第２表示領域１０８が有する画素１０６では、書き込まれた画像信号に従って、液晶素子の透過率が制御される。しかし、上記書き込み期間Ｔａ２（Ｇ）では、光供給部１０４が消灯しているため、第１表示領域１０７及び第２表示領域１０８における表示は行われない。
【００８７】
そして、上記書き込み期間Ｔａ２（Ｇ）では、左目用光制御部１０９及び右目用光制御部１１０の透過率が低下し、非透過の状態になる。
【００８８】
図９（Ｂ）に、書き込み期間Ｔａ２（Ｇ）における画素部１０５と、遮光部１０２の動作を模式的に示す。図９（Ｂ）において、左目用光制御部１０９及び右目用光制御部１１０は非透過の状態にある。よって、画素部１０５から使用者の左目及び右目への光の経路は、左目用光制御部１０９及び右目用光制御部１１０によって遮断されている。また、上述したように、書き込み期間Ｔａ２（Ｇ）では、光供給部１０４が消灯している。よって、左目用光制御部１０９及び右目用光制御部１１０の透過率が完全に０％ではなくとも、使用者の左目及び右目に、緑色に対応した左目用画像（左Ｇ）と赤色に対応した右目用画像（右Ｒ）が混在した画像が、映ることはない。
【００８９】
次いで、緑色に対応した左目用画像（左Ｇ）の表示期間Ｔｒ２（Ｇ）が開始される。表示期間Ｔｒ２（Ｇ）では、光供給部１０４が点灯し、緑色の光が画素部１０５に供給される。第１表示領域１０７の画素１０６では、液晶素子の透過率がブランク信号に従って制御された状態である。よって、光供給部１０４の点灯により、第１表示領域１０７において単一な階調（ＢＬ）の表示が行われる。また、第２表示領域１０８の画素１０６では、液晶素子の透過率が画像信号に従って制御された状態である。よって、光供給部１０４の点灯により、第２表示領域１０８において緑色に対応した左目用画像（左Ｇ）の表示が行われる。
【００９０】
そして、表示期間Ｔｒ２（Ｇ）では、左目用光制御部１０９の透過率が高くなり、透過の状態になる。一方、右目用光制御部１１０の透過率は低下したままであり、非透過の状態にある。よって、画素部１０５からの光は左目用光制御部１０９を通るため、画素部１０５に表示された左目用画像（左Ｇ）及び単一な階調（ＢＬ）は、使用者の左目に選択的に映る。
【００９１】
図９（Ｃ）に、表示期間Ｔｒ２（Ｇ）における画素部１０５と、遮光部１０２の動作を模式的に示す。図９（Ｃ）において、左目用光制御部１０９は透過の状態にあり、右目用光制御部１１０は非透過の状態にある。よって、破線で示すように、画素部１０５からの光は、右目用光制御部１１０を通過せずに、左目用光制御部１０９を通って使用者の左目に入射する。そのため、使用者は、第２表示領域１０８に表示されている左目用画像（左Ｇ）を左目で見ることができる。
【００９２】
次いで、第３フィールド期間において、書き込み期間Ｔａ１（Ｂ）と、表示期間Ｔｒ１（Ｂ）とが順に出現する。第３フィールド期間の書き込み期間Ｔａ１（Ｂ）及び表示期間Ｔｒ１（Ｂ）における、第１表示領域１０７及び第２表示領域１０８の動作と、光供給部１０４の動作と、左目用光制御部１０９及び右目用光制御部１１０の動作とは、第１フィールド期間の書き込み期間Ｔａ１（Ｒ）及び表示期間Ｔｒ１（Ｒ）の場合と同様である。ただし、第３フィールド期間では、青色に対応した右目用画像（右Ｂ）の画像信号の書き込みと、上記右目用画像（右Ｂ）の表示を行っている点において、第１フィールド期間とは異なる。また、第３フィールド期間では、表示期間Ｔｒ１（Ｂ）において光供給部１０４から画素部１０５に供給する光が青色である点においても、第１フィールド期間とは異なる。
【００９３】
次いで、第４フィールド期間において、書き込み期間Ｔａ２（Ｒ）と、表示期間Ｔｒ２（Ｒ）とが順に出現する。第４フィールド期間の書き込み期間Ｔａ２（Ｒ）及び表示期間Ｔｒ２（Ｒ）における、第１表示領域１０７及び第２表示領域１０８の動作と、光供給部１０４の動作と、左目用光制御部１０９及び右目用光制御部１１０の動作とは、第２フィールド期間の書き込み期間Ｔａ２（Ｇ）及び表示期間Ｔｒ２（Ｇ）の場合と同様である。ただし、第４フィールド期間では、赤色に対応した左目用画像（左Ｒ）の画像信号の書き込みと、上記左目用画像（左Ｒ）の表示を行っている点において、第２フィールド期間とは異なる。また、第４フィールド期間では、表示期間Ｔｒ２（Ｒ）において光供給部１０４から画素部１０５に供給する光が赤色である点においても、第２フィールド期間とは異なる。
【００９４】
次いで、第５フィールド期間において、書き込み期間Ｔａ１（Ｇ）と、表示期間Ｔｒ１（Ｇ）とが順に出現する。第５フィールド期間の書き込み期間Ｔａ１（Ｇ）及び表示期間Ｔｒ１（Ｇ）における、第１表示領域１０７及び第２表示領域１０８の動作と、光供給部１０４の動作と、左目用光制御部１０９及び右目用光制御部１１０の動作とは、第１フィールド期間の書き込み期間Ｔａ１（Ｒ）及び表示期間Ｔｒ１（Ｒ）の場合と同様である。ただし、第５フィールド期間では、緑色に対応した右目用画像（右Ｇ）の画像信号の書き込みと、上記右目用画像（右Ｇ）の表示を行っている点において、第１フィールド期間とは異なる。また、第５フィールド期間では、表示期間Ｔｒ１（Ｇ）において光供給部１０４から画素部１０５に供給する光が緑色である点においても、第１フィールド期間とは異なる。
【００９５】
次いで、第６フィールド期間において、書き込み期間Ｔａ２（Ｂ）と、表示期間Ｔｒ２（Ｂ）とが順に出現する。第６フィールド期間の書き込み期間Ｔａ２（Ｂ）及び表示期間Ｔｒ２（Ｂ）における、第１表示領域１０７及び第２表示領域１０８の動作と、光供給部１０４の動作と、左目用光制御部１０９及び右目用光制御部１１０の動作とは、第２フィールド期間の書き込み期間Ｔａ２（Ｇ）及び表示期間Ｔｒ２（Ｇ）の場合と同様である。ただし、第６フィールド期間では、青色に対応した左目用画像（左Ｂ）の画像信号の書き込みと、上記左目用画像（左Ｂ）の表示を行っている点において、第２フィールド期間とは異なる。また、第６フィールド期間では、表示期間Ｔｒ２（Ｂ）において光供給部１０４から画素部１０５に供給する光が青色である点においても、第２フィールド期間とは異なる。
【００９６】
上記第１フィールド期間乃至第６フィールド期間により構成される１フレーム期間を通して、使用者は、赤色に対応した右目用画像（右Ｒ）、緑色に対応した左目用画像（左Ｇ）、青色に対応した右目用画像（右Ｂ）、赤色に対応した左目用画像（左Ｒ）、緑色に対応した右目用画像（右Ｇ）、青色に対応した左目用画像（左Ｂ）により構成される、フルカラーの三次元画像を認識することができる。
【００９７】
なお、図８及び図９を用いて説明した、本発明の一態様に係る駆動方法では、左目用光制御部１０９と右目用光制御部１１０にシャッターを用いた場合を例に挙げているが、本発明はこの構成に限定されない。左目用光制御部１０９と右目用光制御部１１０に偏光方向の異なる偏光板を用いる場合は、画素部１０５へのブランク信号の書き込みを、必ずしも行う必要はない。すなわち、各フィールド期間において、第１表示領域１０７と第２表示領域１０８の少なくともいずれか一方において、画素１０６への画像信号の書き込みを行えば良い。
【００９８】
なお、上記駆動方法では、光供給部として赤（Ｒ）、緑（Ｇ）、青（Ｂ）の３色に対応する光源を用いる構成について示したが、本発明の一態様に係る駆動方法では、当該構成に限定されない。すなわち、本発明の一様態の駆動方法では、光供給部に、任意の色の光を供給する光源を用いることが可能である。例えば、光供給部に、赤（Ｒ）、緑（Ｇ）、青（Ｂ）、白（Ｗ）、若しくは赤（Ｒ）、緑（Ｇ）、青（Ｂ）、黄（Ｙ）の４色に対応した光源を組み合わせて用いること、又はシアン（Ｃ）、マゼンタ（Ｍ）、イエロー（Ｙ）の３色に対応した光源を組み合わせて用いることなどが可能である。
【００９９】
また、白（Ｗ）の光を混色により形成するのではなく、白（Ｗ）の光を発する光源をさらに光供給部に設けるようにしても良い。白（Ｗ）の光を発する光源は、発光効率が高いため、当該光源を用いて光供給部を構成することで、消費電力を低減することが可能である。また、光供給部が補色の関係にある２色の光を発する光源を有する場合（例えば、青（Ｂ）と黄（Ｙ）の２色を有する場合）、当該２色の光を混色することで白（Ｗ）の光を形成することも可能である。さらに、淡色の赤（Ｒ）、緑（Ｇ）、及び青（Ｂ）、並びに濃色の赤（Ｒ）、緑（Ｇ）、及び青（Ｂ）の６色を組み合わせて用いること、又は赤（Ｒ）、緑（Ｇ）、青（Ｂ）、シアン（Ｃ）、マゼンタ（Ｍ）、イエロー（Ｙ）の６色を組み合わせて用いることなども可能である。
【０１００】
なお、例えば、赤（Ｒ）、緑（Ｇ）、及び青（Ｂ）の光源を用いて表現できる色は、色度図上のそれぞれの発光色に対応する３点が描く三角形の内側に示される色に限られる。従って、色度図上の該三角形の外側に発光色が存在する光源を別途加えることで、当該液晶表示装置において表現できる色域を拡大し、色再現性を豊かにすることができる。
【０１０１】
例えば、色度図の中心から、色度図上の青色の光源Ｂに対応する点に向かって概ね外側に位置する点で表される深い青色（Ｄｅｅｐ  Ｂｌｕｅ：ＤＢ）や、色度図の中心から、赤（Ｒ）に対応する色度図上の点に向かって概ね外側に位置する点で表されるより深い赤色（Ｄｅｅｐ  Ｒｅｄ：ＤＲ）を発する光源を、赤（Ｒ）、緑（Ｇ）、及び青（Ｂ）の光源を有する光供給部に加えて使用することができる。
【０１０２】
なお、上述したように、ブルー相を示す液晶は、応答速度が１ｍｓｅｃ以下と短い。そのため、ブルー相を示す液晶を液晶層に用いることで、画像信号の画素への書き込みを高速で行うことができ、フレーム周波数を高めることができる。特に、本発明の一態様のように、１フレーム期間が複数のフィールド期間で構成される駆動方法の場合、画素部への画像信号の書き込み回数がカラーフィルタ方式の場合よりも増えるため、フレーム周波数が低くなりやすい。しかし、本発明の一態様に係る駆動方法を用いた液晶表示装置において、液晶素子が有する液晶層にブルー相を示す液晶を用いることで、フレーム周波数が低くなるのを防ぎ、カラーブレイクやフリッカの発生を防ぐことができる。
【０１０３】
（実施の形態２）
本発明の一態様に係る駆動方法が用いられる、液晶表示装置の画像表示部の構成について説明する。
【０１０４】
図１０に、画像表示部４００の構成を、一例としてブロック図で示す。なお、ブロック図では、構成要素を機能ごとに分類し、互いに独立したブロックとして示しているが、実際の構成要素は機能ごとに完全に切り分けることが難しく、一つの構成要素が複数の機能に係わることもあり得る。
【０１０５】
図１０に示すように、本実施の形態の画像表示部４００は、複数の画像メモリ４０１と、画像処理回路４０２と、コントローラ４０３と、パネル４０４と、光供給部４０５と、光供給部制御回路４０６とを有する。
【０１０６】
画像表示部４００には、フルカラー画像に対応する画像データ（フルカラー画像データ４０７）が入力される。画像処理回路４０２は、複数の画像メモリ４０１へのフルカラー画像データ４０７の書き込みと、複数の画像メモリ４０１からのフルカラー画像データ４０７の読み出しとを行う。フルカラー画像データ４０７には、複数の色相にそれぞれ対応する画像データが含まれている。複数の各画像メモリ４０１には、各色相に対応する画像データがそれぞれ記憶される。
【０１０７】
画像メモリ４０１は、例えばＤＲＡＭ（Ｄｙｎａｍｉｃ  Ｒａｎｄｏｍ  Ａｃｃｅｓｓ  Ｍｅｍｏｒｙ）、ＳＲＡＭ（Ｓｔａｔｉｃ  Ｒａｎｄｏｍ  Ａｃｃｅｓｓ  Ｍｅｍｏｒｙ）等の記憶回路を用いることができる。或いは、画像メモリ４０１に、ＶＲＡＭ（Ｖｉｄｅｏ  ＲＡＭ）を用いても良い。
【０１０８】
画像処理回路４０２による、複数の画像メモリ４０１に記憶されている、各色相に対応する画像データの読み出しは、コントローラ４０３からの命令に従って行われる。複数の画像メモリ４０１から読み出された各色相に対応する画像データは、パネル４０４に送られる。
【０１０９】
また、コントローラ４０３は、フルカラー画像データ４０７に同期した駆動信号またはフルカラー画像の表示を行う際に用いられる電源電位を、パネル４０４に供給する。
【０１１０】
パネル４０４は、各画素に液晶素子を有する画素部４０８と、信号線駆動回路４０９、走査線駆動回路４１０などの駆動回路とを有する。パネル４０４に入力された各色相に対応する画像データは、信号線駆動回路４０９に与えられる。また、コントローラ４０３からの駆動信号または電源電位は、信号線駆動回路４０９または走査線駆動回路４１０に与えられる。
【０１１１】
なお、駆動信号には、信号線駆動回路４０９の動作を制御する信号線駆動回路用のスタートパルス信号ＳＳＰ、信号線駆動回路用のクロック信号ＳＣＫ、ラッチ信号ＬＰ、走査線駆動回路４１０の動作を制御する走査線駆動回路用のスタートパルス信号ＧＳＰ、走査線駆動回路用のクロック信号ＧＣＫなどが含まれる。
【０１１２】
光供給部４０５には、色相の異なる光を発する複数の光源が設けられている。コントローラ４０３は、光供給部制御回路４０６を介して光供給部４０５が有する光源の駆動を制御する。
【０１１３】
次いで、パネル４０４が有する信号線駆動回路４０９と走査線駆動回路４１０の構成について説明する。
【０１１４】
図１１に、パネル４０４の構成を、一例としてブロック図で示す。図１１に示すパネル４０４は、上述したように、画素部４０８と、信号線駆動回路４０９と、走査線駆動回路４１０とを有している。信号線駆動回路４０９は、シフトレジスタ４１１、第１記憶回路４１２、第２記憶回路４１３、レベルシフタ４１４、ＤＡＣ４１５、アナログバッファ４１６を有している。また、走査線駆動回路４１０は、シフトレジスタ４１７、デジタルバッファ４１８を有している。
【０１１５】
次いで、図１１に示すパネル４０４の動作について説明する。シフトレジスタ４１１に、スタートパルス信号ＳＳＰ、クロック信号ＳＣＫが入力されると、シフトレジスタ４１１は、パルスが順次シフトするタイミング信号を生成する。
【０１１６】
第１記憶回路４１２には、画像信号ＩＭＧが入力される。第１記憶回路４１２にタイミング信号が入力されると、該タイミング信号のパルスに従って、画像信号ＩＭＧがサンプリングされ、第１記憶回路４１２が有する複数の記憶素子に順に書き込まれる。すなわち、シリアルで信号線駆動回路４０９に入力された画像信号ＩＭＧが、第１記憶回路４１２にパラレルで書き込まれることになる。第１記憶回路４１２に書き込まれた画像信号ＩＭＧは、保持される。
【０１１７】
なお、第１記憶回路４１２が有する複数の記憶素子に順に画像信号ＩＭＧを書き込んでも良いが、第１記憶回路４１２が有する複数の記憶素子をいくつかのグループに分け、該グループごとに並行して画像信号ＩＭＧを入力する、いわゆる分割駆動を行っても良い。なお、グループが有する記憶素子の数を分割数と呼ぶ。例えば４つの記憶素子ごとにグループに分けた場合、４分割で記憶回路は分割駆動することになる。
【０１１８】
第２記憶回路４１３には、ラッチ信号ＬＰが入力される。第１記憶回路４１２への、画像信号ＩＭＧの書き込みが一通り終了した後、帰線期間において、第２記憶回路４１３に入力されるラッチ信号ＬＰのパルスに従い、第１記憶回路４１２に保持されている画像信号ＩＭＧが、第２記憶回路４１３に一斉に書き込まれ、保持される。画像信号ＩＭＧを第２記憶回路４１３に送出し終えた第１記憶回路４１２では、再びシフトレジスタ４１１からのタイミング信号に従って、次の画像信号ＩＭＧの書き込みが順次行われる。この２順目の１ライン期間中には、第２記憶回路４１３に書き込まれ、保持されている画像信号ＩＭＧが、レベルシフタ４１４において、その電圧の振幅を調整された後、ＤＡＣ４１５に送られる。ＤＡＣ４１５では、入力された画像信号ＩＭＧがデジタルからアナログに変換される。そして、アナログに変換された画像信号ＩＭＧは、アナログバッファ４１６に送られる。ＤＡＣ４１５から送られてきた画像信号ＩＭＧは、アナログバッファ４１６から信号線を介して画素部４０８に送られる。
【０１１９】
一方、走査線駆動回路４１０において、シフトレジスタ４１７は、スタートパルス信号ＧＳＰ、クロック信号ＧＣＫが入力されると、パルスが順次シフトする走査信号ＳＣＮを生成する。シフトレジスタ４１７から出力された走査信号ＳＣＮは、デジタルバッファ４１８から走査線を介して画素部４０８に送られる。
【０１２０】
画素部４０８が有する画素は、走査線駆動回路４１０から入力された走査信号ＳＣＮにより選択される。信号線駆動回路４０９から信号線を介して画素部４０８に送られた画像信号ＩＭＧは、上記選択された画素に入力される。
【０１２１】
図１１に示すパネル４０４では、スタートパルス信号ＳＳＰ、クロック信号ＳＣＫ、ラッチ信号ＬＰなどが、信号線駆動回路４０９の駆動信号に相当する。また、スタートパルス信号ＧＳＰ、クロック信号ＧＣＫなどが、走査線駆動回路４１０の駆動信号に相当する。
【０１２２】
本実施の形態は、他の実施の形態と適宜組み合わせて実施することが可能である。
【０１２３】
（実施の形態３）
本実施の形態では、液晶素子が有する液晶層に、ブルー相を示す液晶を用いた場合の、画素の具体的な構成について説明する。
【０１２４】
図１２（Ａ）に、画素の上面図を一例として示す。また、図１２（Ｂ）に、図１２（Ａ）の破線Ａ１―Ａ２における断面図を示す。
【０１２５】
図１２（Ａ）、図１２（Ｂ）に示す画素は、走査線として機能する導電膜５０１と、信号線として機能する導電膜５０２と、容量配線として機能する導電膜５０３と、スイッチング素子として機能するトランジスタ５５０の第２端子として機能する導電膜５０４とを有している。導電膜５０１は、トランジスタ５５０のゲート電極としても機能する。また、導電膜５０２は、トランジスタ５５０の第１端子としても機能する。
【０１２６】
導電膜５０１、導電膜５０３は、絶縁表面を有する基板５００上に形成された一の導電膜を所望の形状に加工することで形成することができる。導電膜５０１、導電膜５０３上にはゲート絶縁膜５０６が形成されている。さらに、導電膜５０２、導電膜５０４は、ゲート絶縁膜５０６上に形成された一の導電膜を所望の形状に加工することで形成することができる。
【０１２７】
また、トランジスタ５５０の活性層５０７は、導電膜５０１と重なる位置においてゲート絶縁膜５０６上に形成されている。さらに、活性層５０７、導電膜５０２、導電膜５０４を覆うように、絶縁膜５１２と、絶縁膜５１３とが順に形成されている。そして、絶縁膜５１３上には画素電極５０５及び共通電極５０８が形成されており、絶縁膜５１２及び絶縁膜５１３に形成されたコンタクトホールを介して、導電膜５０４と画素電極５０５とが接続されている。
【０１２８】
なお、容量配線として機能する導電膜５０３と、導電膜５０４とが、ゲート絶縁膜５０６を間に挟んで重なり合っている部分が、容量素子５５１として機能する。
【０１２９】
また、本実施の形態では、導電膜５０３とゲート絶縁膜５０６の間に絶縁膜５０９が形成されている。そして、絶縁膜５０９と重なる位置において、画素電極５０５上にスペーサ５１０が形成されている。
【０１３０】
なお、図１２（Ａ）では、スペーサ５１０までが形成された画素の上面図を示している。図１２（Ｂ）では、スペーサ５１０までが形成されている基板５００と対峙するように、基板５１４が配置されている様子を示す。
【０１３１】
基板５１４と、画素電極５０５及び共通電極５０８との間には、液晶を含む液晶層５１６が設けられている。画素電極５０５と、共通電極５０８と、液晶層５１６とを含む領域に液晶素子５５２が形成される。
【０１３２】
画素電極５０５と共通電極５０８には、例えば、酸化珪素を含む酸化インジウムスズ（ＩＴＳＯ）、酸化インジウムスズ（ＩＴＯ）、酸化亜鉛（ＺｎＯ）、酸化インジウム亜鉛、ガリウムを添加した酸化亜鉛（ＧＺＯ）などの透光性を有する導電材料を用いることができる。
【０１３３】
液晶層５１６を形成するために行われる液晶の注入は、ディスペンサ式（滴下式）を用いても良いし、ディップ式（汲み上げ式）を用いていても良い。
【０１３４】
なお、基板５１４上には、画素間における液晶の配向の乱れに起因するディスクリネーションが視認されるのを防ぐため、或いは、拡散した光が隣接する複数の画素に入射するのを防ぐために、光を遮蔽することができる遮蔽膜が設けられていても良い。遮蔽膜には、カーボンブラック、二酸化チタンよりも酸化数が小さい低次酸化チタンなどの黒色顔料を含む有機樹脂を用いることができる。または、クロムを用いた膜で、遮蔽膜を形成することも可能である。
【０１３５】
なお、ＩＰＳ型の液晶素子やブルー相を用いた液晶素子の場合、図１２に示した液晶素子５５２のように、画素電極５０５と共通電極５０８の上に液晶層５１６が設けられている構造を有する。しかし、本発明の一態様に係る液晶表示装置はこの構成に限定されず、液晶素子が、画素電極と共通電極の間に液晶層が挟まれている構造を有していても良い。
【０１３６】
なお、トランジスタ５５０は、酸化物半導体などのワイドギャップ半導体を活性層５０７に有していても良いし、非晶質、微結晶、多結晶又は単結晶である、シリコン又はゲルマニウムなどの半導体を活性層５０７に有していても良い。
【０１３７】
酸化物半導体は、シリコンよりもバンドギャップが広く、真性キャリア密度がシリコンよりも低いため、酸化物半導体をトランジスタの活性層に用いることで、通常のシリコンやゲルマニウムなどの半導体を活性層に有するトランジスタに比べて、オフ電流が極めて低いトランジスタを実現することができる。
【０１３８】
なお、電子供与体（ドナー）となる水分又は水素などの不純物が低減され、なおかつ酸素欠損が低減されることで高純度化された酸化物半導体（ｐｕｒｉｆｉｅｄ  ＯＳ）は、ｉ型（真性半導体）又はｉ型に限りなく近い。そのため、上記酸化物半導体を用いたトランジスタは、オフ電流が著しく低いという特性を有する。具体的に、高純度化された酸化物半導体は、二次イオン質量分析法（ＳＩＭＳ：Ｓｅｃｏｎｄａｒｙ  Ｉｏｎ  Ｍａｓｓ  Ｓｐｅｃｔｒｏｍｅｔｒｙ）による水素濃度の測定値が、５×１０１９／ｃｍ３以下、好ましくは５×１０１８／ｃｍ３以下、より好ましくは５×１０１７／ｃｍ３以下、更に好ましくは１×１０１６／ｃｍ３以下とする。また、ホール効果測定により測定できる酸化物半導体膜のキャリア密度は、１×１０１４／ｃｍ３未満、好ましくは１×１０１２／ｃｍ３未満、更に好ましくは１×１０１１／ｃｍ３未満とする。また、酸化物半導体のバンドギャップは、２ｅＶ以上、好ましくは２．５ｅＶ以上、より好ましくは３ｅＶ以上である。水分又は水素などの不純物濃度が十分に低減されて高純度化された酸化物半導体膜を用いることにより、トランジスタのオフ電流を下げることができる。
【０１３９】
ここで、酸化物半導体膜中の、水素濃度の分析について触れておく。半導体膜中の水素濃度測定は、ＳＩＭＳで行う。ＳＩＭＳは、その原理上、試料表面近傍や、材質が異なる膜との積層界面近傍のデータを正確に得ることが困難であることが知られている。そこで、膜中における水素濃度の厚さ方向の分布をＳＩＭＳで分析する場合、対象となる膜が存在する範囲において、値に極端な変動がなく、ほぼ一定の値が得られる領域における平均値を、水素濃度として採用する。また、測定の対象となる膜の厚さが小さい場合、隣接する膜内の水素濃度の影響を受けて、ほぼ一定の値が得られる領域を見いだせない場合がある。この場合、当該膜が存在する領域における、水素濃度の極大値又は極小値を、当該膜中の水素濃度として採用する。更に、当該膜が存在する領域において、極大値を有する山型のピーク、極小値を有する谷型のピークが存在しない場合、変曲点の値を水素濃度として採用する。
【０１４０】
具体的に、高純度化された酸化物半導体膜を活性層として用いたトランジスタのオフ電流が低いことは、いろいろな実験により証明できる。例えば、チャネル幅が１×１０６μｍでチャネル長が１０μｍの素子であっても、ソース端子とドレイン端子間の電圧（ドレイン電圧）が１Ｖから１０Ｖの範囲において、オフ電流が、半導体パラメータアナライザの測定限界以下、すなわち１×１０−１３Ａ以下という特性を得ることができる。この場合、オフ電流をトランジスタのチャネル幅で除した数値に相当するオフ電流密度は、１００ｚＡ／μｍ以下であることが分かる。
【０１４１】
なお、酸化物半導体として、酸化インジウム、酸化スズ、酸化亜鉛、二元系金属の酸化物であるＩｎ−Ｚｎ系酸化物、Ｓｎ−Ｚｎ系酸化物、Ａｌ−Ｚｎ系酸化物、Ｚｎ−Ｍｇ系酸化物、Ｓｎ−Ｍｇ系酸化物、Ｉｎ−Ｍｇ系酸化物、Ｉｎ−Ｇａ系酸化物、三元系金属の酸化物であるＩｎ−Ｇａ−Ｚｎ系酸化物（ＩＧＺＯとも表記する）、Ｉｎ−Ａｌ−Ｚｎ系酸化物、Ｉｎ−Ｓｎ−Ｚｎ系酸化物、Ｓｎ−Ｇａ−Ｚｎ系酸化物、Ａｌ−Ｇａ−Ｚｎ系酸化物、Ｓｎ−Ａｌ−Ｚｎ系酸化物、Ｉｎ−Ｈｆ−Ｚｎ系酸化物、Ｉｎ−Ｌａ−Ｚｎ系酸化物、Ｉｎ−Ｃｅ−Ｚｎ系酸化物、Ｉｎ−Ｐｒ−Ｚｎ系酸化物、Ｉｎ−Ｎｄ−Ｚｎ系酸化物、Ｉｎ−Ｓｍ−Ｚｎ系酸化物、Ｉｎ−Ｅｕ−Ｚｎ系酸化物、Ｉｎ−Ｇｄ−Ｚｎ系酸化物、Ｉｎ−Ｔｂ−Ｚｎ系酸化物、Ｉｎ−Ｄｙ−Ｚｎ系酸化物、Ｉｎ−Ｈｏ−Ｚｎ系酸化物、Ｉｎ−Ｅｒ−Ｚｎ系酸化物、Ｉｎ−Ｔｍ−Ｚｎ系酸化物、Ｉｎ−Ｙｂ−Ｚｎ系酸化物、Ｉｎ−Ｌｕ−Ｚｎ系酸化物、四元系金属の酸化物であるＩｎ−Ｓｎ−Ｇａ−Ｚｎ系酸化物、Ｉｎ−Ｈｆ−Ｇａ−Ｚｎ系酸化物、Ｉｎ−Ａｌ−Ｇａ−Ｚｎ系酸化物、Ｉｎ−Ｓｎ−Ａｌ−Ｚｎ系酸化物、Ｉｎ−Ｓｎ−Ｈｆ−Ｚｎ系酸化物、Ｉｎ−Ｈｆ−Ａｌ−Ｚｎ系酸化物を用いることができる。なお、本明細書においては、例えば、Ｉｎ−Ｓｎ−Ｇａ−Ｚｎ系酸化物半導体とは、インジウム（Ｉｎ）、錫（Ｓｎ）、ガリウム（Ｇａ）、亜鉛（Ｚｎ）を有する金属酸化物、という意味であり、その化学量論的組成比は特に問わない。また、上記酸化物半導体は、珪素を含んでいてもよい。
【０１４２】
或いは、酸化物半導体は、化学式ＩｎＭＯ３（ＺｎＯ）ｍ（ｍ＞０、ｍは自然数であるとは限らない）で表記することができる。ここで、Ｍは、Ｇａ、Ａｌ、Ｍｎ及びＣｏから選ばれた一又は複数の金属元素を示す。
【０１４３】
なお、特に断りがない限り、本明細書でオフ電流とは、ｎチャネル型トランジスタにおいては、ドレイン端子をソース端子とゲート電極よりも高い電位とした状態において、ソース端子の電位を基準としたときのゲート電極の電位が０以下であるときに、ソース端子とドレイン端子の間に流れる電流のことを意味する。或いは、本明細書でオフ電流とは、ｐチャネル型トランジスタにおいては、ドレイン端子をソース端子とゲート電極よりも低い電位とした状態において、ソース端子の電位を基準としたときのゲート電極の電位が０以上であるときに、ソース端子とドレイン端子の間に流れる電流のことを意味する。
【０１４４】
また、シリコンよりもバンドギャップが広く、真性キャリア密度がシリコンよりも低い半導体材料の一例として、酸化物半導体の他に、炭化シリコン（ＳｉＣ）、窒化ガリウム（ＧａＮ）などの化合物半導体を挙げることができる。酸化物半導体は、炭化シリコンや窒化ガリウムなどの化合物半導体とは異なり、スパッタリング法や湿式法（印刷法など）により作製可能であり、量産性に優れるといった利点がある。また、炭化シリコンのプロセス温度は約１５００℃、窒化ガリウムのプロセス温度は約１１００℃であるが、酸化物半導体の成膜温度は、３００℃〜５００℃（ガラス転移温度以下、最大でも７００℃程度）と低く、安価で入手しやすいガラス基板上への成膜が可能であり、また、１５００℃〜２０００℃もの高温での熱処理に対する耐性を有さない半導体材料を用いた集積回路上に、酸化物半導体による半導体素子を積層させることも可能である。また、酸化物半導体は、多結晶シリコン、微結晶シリコンなどの結晶性を有するシリコンや、炭化シリコン、窒化ガリウムなどとは異なり、第６世代以上の大型基板への対応が可能である。よって、酸化物半導体は量産性が高いというメリットを特に有する。また、トランジスタの性能（例えば移動度）を向上させるために結晶性の酸化物半導体を得ようとする場合でも、２５０℃から８００℃の熱処理によって容易に結晶性の酸化物半導体を得ることができる。
【０１４５】
液晶表示装置では、画像信号の電位の極性を、共通電極の電位を基準として反転させる反転駆動を行うことで、焼き付きと呼ばれる液晶の劣化を防ぐことができる。しかし、反転駆動を行うと、画像信号の極性が変化する際に信号線に与えられる電位の変化が大きくなるため、スイッチング素子として機能するトランジスタ５５０のソース端子とドレイン端子の電位差が大きくなる。特に、ブルー相を示す液晶を液晶層が含んでいる場合は上記電位差が非常に大きくなる。例えばＴＮ液晶を液晶層に含んでいる場合だと、上記電位差が十数Ｖ程度であるのに対し、ブルー相を示す液晶を液晶層が含んでいる場合は、上記電位差が数十Ｖにも及ぶ。よって、トランジスタ５５０は、閾値電圧がシフトするなどの特性劣化が生じやすい。また、液晶素子に保持されている電圧を維持するために、ソース端子とドレイン端子の電位差が大きくても、オフ電流が低いことが要求される。トランジスタ５５０に、シリコンまたはゲルマニウムよりもバンドギャップが大きく、真性キャリア密度が低い酸化物半導体などの半導体を用いることで、トランジスタ５５０の耐圧性を高め、オフ電流を著しく低くすることができる。よって、通常のシリコンやゲルマニウムなどの半導体材料で形成されたトランジスタを用いた場合に比べて、トランジスタ５５０の劣化を防ぎ、液晶素子に保持されている電圧を維持することができる。
【０１４６】
なお、トランジスタ５５０は、活性層５０７の片側にだけ存在するゲート電極を少なくとも有していれば良いが、活性層５０７を間に挟んで存在する一対のゲート電極を有していても良い。また、トランジスタ５５０は、単数のゲート電極と単数のチャネル形成領域を有するシングルゲート構造であっても良いし、電気的に接続された複数のゲート電極を有することで、チャネル形成領域を複数有する、マルチゲート構造であっても良い。
【０１４７】
また、導電膜５０１乃至導電膜５０４は、アルミニウム、クロム、銅、タンタル、チタン、モリブデン、タングステンからから選ばれた元素、又は上述した元素を成分とする合金か、上述した元素を組み合わせた合金膜等が挙げられる。また、アルミニウム、銅などの金属膜の下側もしくは上側にクロム、タンタル、チタン、モリブデン、タングステンなどの高融点金属膜を積層させた構成としても良い。また、アルミニウム又は銅は、耐熱性や腐食性の問題を回避するために、高融点金属材料と組み合わせて用いると良い。高融点金属材料としては、モリブデン、チタン、クロム、タンタル、タングステン、ネオジム、スカンジウム、イットリウム等を用いることができる。また、Ｃｕ−Ｍｇ−Ａｌ合金、Ｍｏ−Ｔｉ合金、Ｔｉ、Ｍｏ、は、酸化膜との密着性が高い。よって、下層にＣｕ−Ｍｇ−Ａｌ合金、Ｍｏ−Ｔｉ合金、Ｔｉ、或いはＭｏで構成される導電膜、上層にＣｕで構成される導電膜を積層し、上記積層された導電膜を導電膜５０１乃至導電膜５０４に用いることで、酸化膜である絶縁膜と、導電膜５０１乃至導電膜５０４との密着性を高めることができる。
【０１４８】
活性層５０７に酸化物半導体膜を用いる場合、酸化物半導体膜の成膜は、減圧状態に保持された処理室内に基板を保持し、処理室内の残留水分を除去しつつ水素及び水分が除去されたスパッタガスを導入し、ターゲットを用いて行うことができる。成膜時に、基板温度を１００℃以上６００℃以下、好ましくは２００℃以上４００℃以下としても良い。基板を加熱しながら成膜することにより、成膜した酸化物半導体膜に含まれる不純物濃度を低減することができる。また、スパッタリングによる損傷が軽減される。処理室内の残留水分を除去するためには、吸着型の真空ポンプを用いることが好ましい。例えば、クライオポンプ、イオンポンプ、チタンサブリメーションポンプを用いることが好ましい。また、排気手段としては、ターボポンプにコールドトラップを加えたものであってもよい。クライオポンプを用いて成膜室を排気すると、例えば、水素原子、水（Ｈ２Ｏ）など水素原子を含む化合物（より好ましくは炭素原子を含む化合物も）等が排気されるため、当該成膜室で成膜した酸化物半導体膜に含まれる不純物の濃度を低減できる。
【０１４９】
また、スパッタリング装置の処理室のリークレートを１×１０−１０Ｐａ・ｍ３／秒以下とすることで、スパッタリング法による成膜途中における酸化物半導体膜への、アルカリ金属、水素化物等の不純物の混入を低減することができる。また、排気系として上述した吸着型の真空ポンプを用いることで、排気系からのアルカリ金属、水素原子、水素分子、水、水酸基、または水素化物等の不純物の逆流を低減することができる。
【０１５０】
また、ターゲットの純度を、９９．９９％以上とすることで、酸化物半導体膜に混入するアルカリ金属、水素原子、水素分子、水、水酸基、または水素化物等を低減することができる。また、当該ターゲットを用いることで、酸化物半導体膜において、リチウム、ナトリウム、カリウム等のアルカリ金属の濃度を低減することができる。
【０１５１】
なお、スパッタ等で成膜された酸化物半導体膜中には、不純物としての水分又は水素（水酸基を含む）が多量に含まれていることがある。水分又は水素はドナー準位を形成しやすいため、酸化物半導体にとっては不純物である。そこで、酸化物半導体膜中の水分又は水素などの不純物を低減（脱水化または脱水素化）するために、酸化物半導体膜に対して、減圧雰囲気下、窒素や希ガスなどの不活性ガス雰囲気下、酸素ガス雰囲気下、又は超乾燥エア（ＣＲＤＳ（キャビティリングダウンレーザー分光法）方式の露点計を用いて測定した場合の水分量が２０ｐｐｍ（露点換算で−５５℃）以下、好ましくは１ｐｐｍ以下、好ましくは１０ｐｐｂ以下の空気）雰囲気下で、加熱処理を施しておくことが望ましい。
【０１５２】
酸化物半導体膜に加熱処理を施すことで、酸化物半導体膜中の水分又は水素を脱離させることができる。具体的には、２５０℃以上７５０℃以下、好ましくは４００℃以上基板の歪み点未満の温度で加熱処理を行えば良い。例えば、５００℃、３分間以上６分間以下程度で行えばよい。加熱処理にＲＴＡ法を用いれば、短時間に脱水化又は脱水素化が行えるため、ガラス基板の歪点を超える温度でも処理することができる。
【０１５３】
なお、加熱処理装置は電気炉の他に、抵抗発熱体などの発熱体からの熱伝導又は熱輻射によって、被処理物を加熱する装置を備えていてもよい。例えば、ＧＲＴＡ（Ｇａｓ  Ｒａｐｉｄ  Ｔｈｅｒｍａｌ  Ａｎｎｅａｌ）装置、ＬＲＴＡ（Ｌａｍｐ  Ｒａｐｉｄ  Ｔｈｅｒｍａｌ  Ａｎｎｅａｌ）装置等のＲＴＡ（Ｒａｐｉｄ  Ｔｈｅｒｍａｌ  Ａｎｎｅａｌ）装置を用いることができる。ＬＲＴＡ装置は、ハロゲンランプ、メタルハライドランプ、キセノンアークランプ、カーボンアークランプ、高圧ナトリウムランプ、高圧水銀ランプなどのランプから発する光（電磁波）の輻射により、被処理物を加熱する装置である。ＧＲＴＡ装置は、高温のガスを用いて加熱処理を行う装置である。気体には、アルゴンなどの希ガス、又は窒素のような、加熱処理によって被処理物と反応しない不活性気体が用いられる。
【０１５４】
加熱処理においては、窒素、又はヘリウム、ネオン、アルゴン等の希ガスに、水分又は水素などが含まれないことが好ましい。又は、加熱処理装置に導入する窒素、又はヘリウム、ネオン、アルゴン等の希ガスの純度を、６Ｎ（９９．９９９９％）以上、好ましくは７Ｎ（９９．９９９９９％）以上、（即ち不純物濃度を１ｐｐｍ以下、好ましくは０．１ｐｐｍ以下）とすることが好ましい。
【０１５５】
なお、酸化物半導体は不純物に対して鈍感であり、膜中にはかなりの金属不純物が含まれていても問題がなく、ナトリウムのようなアルカリ金属が多量に含まれる廉価なソーダ石灰ガラスも使えると指摘されている（神谷、野村、細野、「アモルファス酸化物半導体の物性とデバイス開発の現状」、固体物理、２００９年９月号、Ｖｏｌ．４４、ｐｐ．６２１−６３３．）。しかし、このような指摘は適切でない。アルカリ金属は酸化物半導体を構成する元素ではないため、不純物である。アルカリ土類金属も、酸化物半導体を構成する元素ではない場合において、不純物となる。特に、アルカリ金属のうちＮａは、酸化物半導体膜に接する絶縁膜が酸化物である場合、当該絶縁膜中に拡散してＮａ＋となる。また、Ｎａは、酸化物半導体膜内において、酸化物半導体を構成する金属と酸素の結合を分断する、或いは、その結合中に割り込む。その結果、例えば、閾値電圧がマイナス方向にシフトすることによるノーマリオン化、移動度の低下等の、トランジスタの特性の劣化が起こり、加えて、特性のばらつきも生じる。この不純物によりもたらされるトランジスタの特性の劣化と、特性のばらつきは、酸化物半導体膜中の水素濃度が十分に低い場合において顕著に現れる。従って、酸化物半導体膜中の水素濃度が１×１０１８／ｃｍ３以下、より好ましくは１×１０１７／ｃｍ３以下である場合には、上記不純物の濃度を低減することが望ましい。具体的に、二次イオン質量分析法によるＮａ濃度の測定値は、５×１０１６／ｃｍ３以下、好ましくは１×１０１６／ｃｍ３以下、更に好ましくは１×１０１５／ｃｍ３以下とするとよい。同様に、Ｌｉ濃度の測定値は、５×１０１５／ｃｍ３以下、好ましくは１×１０１５／ｃｍ３以下とするとよい。同様に、Ｋ濃度の測定値は、５×１０１５／ｃｍ３以下、好ましくは１×１０１５／ｃｍ３以下とするとよい。
【０１５６】
酸化物半導体膜中の水素の濃度を低減し、高純度化することで、酸化物半導体膜の安定化を図ることができる。また、ガラス転移温度以下の加熱処理で、水素欠陥に起因するキャリア密度が少なく、バンドギャップの広い酸化物半導体膜を形成することができる。このため、大面積基板を用いてトランジスタを作製することができ、量産性を高めることができる。上記加熱処理は、酸化物半導体膜の成膜以降であれば、いつでも行うことができる。
【０１５７】
なお、酸化物半導体膜は非晶質であっても良いが、結晶性を有していても良い。結晶性を有する酸化物半導体膜としては、ｃ軸配向を有した（Ｃ  Ａｘｉｓ  Ａｌｉｇｎｅｄ  Ｃｒｙｓｔａｌｌｉｎｅ  Ｏｘｉｄｅ  Ｓｅｍｉｃｏｎｄｕｃｔｏｒ：ＣＡＡＣとも呼ぶ）を含む酸化物であっても、トランジスタの信頼性を高めるという効果を得ることができるので、好ましい。
【０１５８】
ＣＡＡＣで構成された酸化物半導体膜は、スパッタリング法によっても作製することができる。スパッタリング法によってＣＡＡＣを得るには酸化物半導体膜の堆積初期段階において六方晶の結晶が形成されるようにすることと、当該結晶を種として結晶が成長されるようにすることが肝要である。そのためには、ターゲットと基板の距離を広くとり（例えば、１５０ｍｍ〜２００ｍｍ程度）、基板加熱温度を１００℃〜５００℃、好適には２００℃〜４００℃、さらに好適には２５０℃〜３００℃にすると好ましい。また、これに加えて、成膜時の基板加熱温度よりも高い温度で、堆積された酸化物半導体膜を熱処理することで膜中に含まれるミクロな欠陥や、積層界面の欠陥を修復することができる。
【０１５９】
具体的に、ＣＡＡＣは、絶縁膜表面に平行なａ−ｂ面において六角形の格子を有する結合を有し、なおかつ、ａ−ｂ面に概略垂直なｃ軸配向を有する、六方晶構造の亜鉛を含む結晶である。
【０１６０】
ＣＡＡＣは、非晶質の酸化物半導体と比較して、金属と酸素の結合が秩序化している。すなわち、酸化物半導体が非晶質の場合は、個々の金属原子によって配位数が異なることも有り得るが、ＣＡＡＣでは金属原子の配位数はほぼ一定となる。そのため、微視的な酸素の欠損が減少し、水素原子（水素イオンを含む）やアルカリ金属原子の放出や結合による電荷の移動や不安定性を減少させる効果がある。
【０１６１】
従って、ＣＡＡＣで構成された酸化物半導体膜を用いてトランジスタを作製することで、トランジスタへの光照射またはバイアス−熱ストレス（ＢＴ）の付加を行った後に生じる、トランジスタのしきい値電圧の変化量を、低減することができる。よって、安定した電気的特性を有するトランジスタを作製することができる。
【０１６２】
また、酸化物半導体膜を活性層５０７に用いる場合、酸化物半導体膜に接するゲート絶縁膜５０６、絶縁膜５１２などの絶縁膜には、プラズマＣＶＤ法又はスパッタリング法などを用い、酸化珪素、窒化酸化珪素、酸化窒化珪素、窒化珪素、酸化ハフニウム、酸化アルミニウム又は酸化タンタル、酸化イットリウム、ハフニウムシリケート（ＨｆＳｉｘＯｙ（ｘ＞０、ｙ＞０））、窒素が添加されたハフニウムシリケート（ＨｆＳｉｘＯｙ（ｘ＞０、ｙ＞０））、窒素が添加されたハフニウムアルミネート（ＨｆＡｌｘＯｙ（ｘ＞０、ｙ＞０））等を含む膜を、単数で、又は複数積層させることで、形成することができる。
【０１６３】
酸素を含む無機材料を上記絶縁膜に用いることで、水分または水素を低減させるための加熱処理により酸化物半導体膜中に酸素欠損が発生していたとしても、酸化物半導体膜に上記絶縁膜から酸素を供給し、ドナーとなる酸素欠損を低減して化学量論組成比を満たす構成とすることが可能である。よって、チャネル形成領域を、ｉ型に近づけることができ、酸素欠損によるトランジスタ５５０の電気特性のばらつきを軽減し、電気特性の向上を実現することができる。
【０１６４】
また、酸化物半導体膜に接するゲート絶縁膜５０６、絶縁膜５１２などの絶縁膜は、第１３族元素及び酸素を含む絶縁材料を用いるようにしても良い。酸化物半導体には第１３族元素を含むものが多く、第１３族元素を含む絶縁材料は酸化物半導体との相性が良く、これを酸化物半導体膜に接する絶縁膜に用いることで、酸化物半導体膜との界面の状態を良好に保つことができる。
【０１６５】
第１３族元素を含む絶縁材料とは、絶縁材料に一又は複数の第１３族元素を含むことを意味する。第１３族元素を含む絶縁材料としては、例えば、酸化ガリウム、酸化アルミニウム、酸化アルミニウムガリウム、酸化ガリウムアルミニウムなどがある。ここで、酸化アルミニウムガリウムとは、ガリウムの含有量（原子％）よりアルミニウムの含有量（原子％）が多いものを示し、酸化ガリウムアルミニウムとは、ガリウムの含有量（原子％）がアルミニウムの含有量（原子％）以上のものを示す。
【０１６６】
例えば、ガリウムを含有する酸化物半導体膜に接して絶縁膜を形成する場合に、絶縁膜に酸化ガリウムを含む材料を用いることで酸化物半導体膜と絶縁膜の界面特性を良好に保つことができる。例えば、酸化物半導体膜と酸化ガリウムを含む絶縁膜とを接して設けることにより、酸化物半導体膜と絶縁膜の界面における水素のパイルアップを低減することができる。なお、絶縁膜に酸化物半導体の成分元素と同じ族の元素を用いる場合には、同様の効果を得ることが可能である。例えば、酸化アルミニウムを含む材料を用いて絶縁膜を形成することも有効である。なお、酸化アルミニウムは、水を透過させにくいという特性を有しているため、当該材料を用いることは、酸化物半導体膜への水の侵入防止という点においても好ましい。
【０１６７】
本実施の形態は、他の実施の形態と適宜組み合わせて実施することが可能である。
【０１６８】
（実施の形態４）
次いで、液晶表示装置のパネルの外観について、図１３を用いて説明する。図１３（Ａ）は、基板４００１と対向基板４００６とをシール材４００５によって接着させたパネルの上面図であり、図１３（Ｂ）は、図１３（Ａ）の破線Ａ−Ａ’における断面図に相当する。
【０１６９】
基板４００１上に設けられた画素部４００２と、走査線駆動回路４００４とを囲むように、シール材４００５が設けられている。また、画素部４００２、走査線駆動回路４００４の上に対向基板４００６が設けられている。よって、画素部４００２と走査線駆動回路４００４は、基板４００１とシール材４００５と対向基板４００６とによって、液晶４００７と共に封止されている。
【０１７０】
また、基板４００１上のシール材４００５によって囲まれている領域とは異なる領域に、信号線駆動回路４００３が形成された基板４０２１が、実装されている。図１３（Ｂ）では、信号線駆動回路４００３に含まれるトランジスタ４００９を例示している。
【０１７１】
また、基板４００１上に設けられた画素部４００２、走査線駆動回路４００４は、トランジスタを複数有している。図１３（Ｂ）では、画素部４００２に含まれるトランジスタ４０１０、トランジスタ４０２２を例示している。そして、対向基板４００６に形成されている遮光膜４０４０は、トランジスタ４０１０、トランジスタ４０２２と重なっている。
【０１７２】
また、液晶素子４０１１が有する画素電極４０３０は、トランジスタ４０１０と電気的に接続されている。そして、液晶素子４０１１の共通電極４０３１は、対向基板４００６に形成されている。画素電極４０３０と共通電極４０３１と液晶４００７とが重なっている部分が、液晶素子４０１１に相当する。
【０１７３】
また、スペーサ４０３５が、画素電極４０３０と共通電極４０３１との間の距離（セルギャップ）を制御するために設けられている。なお、図１３（Ｂ）では、スペーサ４０３５が、絶縁膜をパターニングすることで形成されている場合を例示しているが、球状スペーサを用いていても良い。
【０１７４】
また、信号線駆動回路４００３、走査線駆動回路４００４、画素部４００２に与えられる各種信号及び電源電位は、引き回し配線４０１４及び４０１５を介して、接続端子４０１６から供給されている。接続端子４０１６は、ＦＰＣ４０１８が有する端子と、異方性導電膜４０１９を介して電気的に接続されている。
【０１７５】
なお、基板４００１、対向基板４００６、基板４０２１には、ガラス、セラミックス、プラスチックを用いることができる。プラスチックには、ＦＲＰ（Ｆｉｂｅｒｇｌａｓｓ−Ｒｅｉｎｆｏｒｃｅｄ  Ｐｌａｓｔｉｃｓ）板、ＰＶＦ（ポリビニルフルオライド）フィルム、ポリエステルフィルムまたはアクリル樹脂フィルムなどが含まれる。また、アルミニウムホイルをＰＶＦフィルムで挟んだ構造のシートを用いることもできる。
【０１７６】
但し、液晶素子４０１１からの光の取り出し方向に位置する基板には、ガラス板、プラスチック、ポリエステルフィルムまたはアクリルフィルムのような透光性を有する材料を用いる。
【０１７７】
図１４は、液晶表示装置の構造を示す、斜視図の一例である。図１４に示す液晶表示装置は、画素部を有するパネル１６０１と、第１の拡散板１６０２と、プリズムシート１６０３と、第２の拡散板１６０４と、導光板１６０５と、バックライトパネル１６０７と、回路基板１６０８と、信号線駆動回路の形成された基板１６１１とを有している。
【０１７８】
パネル１６０１と、第１の拡散板１６０２と、プリズムシート１６０３と、第２の拡散板１６０４と、導光板１６０５と、バックライトパネル１６０７とは、順に積層されている。バックライトパネル１６０７は、複数の光源で構成されたバックライト１６１２を有している。導光板１６０５内部に拡散されたバックライト１６１２からの光は、第１の拡散板１６０２、プリズムシート１６０３及び第２の拡散板１６０４によって、パネル１６０１に照射される。
【０１７９】
なお、本実施の形態では、第１の拡散板１６０２と第２の拡散板１６０４とを用いているが、拡散板の数はこれに限定されず、単数であっても３以上であっても良い。そして、拡散板は導光板１６０５とパネル１６０１の間に設けられていれば良い。よって、プリズムシート１６０３よりもパネル１６０１に近い側にのみ拡散板が設けられていても良いし、プリズムシート１６０３よりも導光板１６０５に近い側にのみ拡散板が設けられていても良い。
【０１８０】
またプリズムシート１６０３は、図１４に示した断面が鋸歯状の形状に限定されず、導光板１６０５からの光をパネル１６０１側に集光できる形状を有していれば良い。
【０１８１】
回路基板１６０８には、パネル１６０１に入力される各種信号を生成する回路、またはこれら信号に処理を施す回路などが設けられている。そして、図１４では、回路基板１６０８とパネル１６０１とが、ＣＯＦテープ１６０９を介して接続されている。また、信号線駆動回路の形成された基板１６１１が、ＣＯＦ（Ｃｈｉｐ  ＯＮ  Ｆｉｌｍ）法を用いてＣＯＦテープ１６０９に接続されている。
【０１８２】
図１４では、バックライト１６１２の駆動を制御する制御系の回路が回路基板１６０８に設けられており、該制御系の回路とバックライトパネル１６０７とがＦＰＣ１６１０を介して接続されている例を示している。ただし、上記制御系の回路はパネル１６０１に形成されていても良く、この場合はパネル１６０１とバックライトパネル１６０７とがＦＰＣなどにより接続されるようにする。
【０１８３】
なお、図１４では、光供給部として、パネル１６０１の直下に配置される直下型のバックライト１６１２を用いている場合を例示しているが、本発明はこの構成に限定されない。本発明の一態様では、光供給部として、パネル１６０１の端部に配置されたエッジライト型のバックライトを用いていても良い。或いは、本発明の一態様では、光供給部として、フロントライトを用いていても良い。
【０１８４】
図１５に、エッジライト型のバックライト１６２０を用いた、液晶表示装置の構造を斜視図で示す。図１５では、バックライト１６２０が導光板１６０５の端部に配置されている。バックライト１６２０から導光板１６０５に入射した光は、導光板１６０５の表面で反射を繰り返すことで、パネル１６０１に供給される。
【０１８５】
本実施の形態は、他の実施の形態と適宜組み合わせて実施することが可能である。
【実施例１】
【０１８６】
本発明の一態様に係る駆動方法を適用させることで、カラーブレイクまたはフリッカの発生を抑えつつ、低消費電力である三次元画像の液晶表示装置を提供することができる。よって、上記液晶表示装置を用いた電子機器は、低消費電力であり、鮮明な三次元画像の表示を行うことができる。
【０１８７】
具体的に本発明の一態様に係る駆動方法は、画像表示装置、ノート型パーソナルコンピュータ、記録媒体を備えた画像再生装置（代表的にはＤＶＤ：Ｄｉｇｉｔａｌ  Ｖｅｒｓａｔｉｌｅ  Ｄｉｓｃ等の記録媒体を再生し、その画像を表示しうるディスプレイを有する装置）に用いることができる。その他に、本発明の一態様に係る駆動方法を適用できる電子機器として、携帯電話、携帯型ゲーム機、携帯情報端末、電子書籍などが挙げられる。これら電子機器の具体例を図１６に示す。
【０１８８】
図１６（Ａ）は画像表示装置であり、画像表示部用筐体５００１、画像表示部に相当する表示部５００２、スピーカー部５００３、遮光部に相当する眼鏡５００４等を含む。眼鏡５００４は、右目用光制御部５００５と左目用光制御部５００６とを有する。なお、表示部５００２における右目用画像、或いは左目用画像の表示に同期するように、右目用光制御部５００５と左目用光制御部５００６の透過率を制御する制御部は、眼鏡５００４に設けられていても良いし、画像表示部用筐体５００１内に設けられていても良い。画像表示装置に本発明の一態様を適用させることで、低消費電力であり、鮮明な三次元画像の表示を行うことができる画像表示装置を提供することができる。
【０１８９】
画像表示装置には、パーソナルコンピュータ用、ＴＶ放送受信用、広告表示用などの全ての情報表示用画像表示装置が含まれる。
【０１９０】
図１６（Ｂ）はノート型パーソナルコンピュータであり、画像表示部用筐体５２０１、画像表示部に相当する表示部５２０２、キーボード５２０３、ポインティングデバイス５２０４、遮光部に相当する眼鏡５２０６等を含む。眼鏡５２０６は、右目用光制御部５２０７と左目用光制御部５２０８とを有する。なお、表示部５２０２における右目用画像、或いは左目用画像の表示に同期するように、右目用光制御部５２０７と左目用光制御部５２０８の透過率を制御する制御部は、眼鏡５２０６に設けられていても良いし、画像表示部用筐体５２０１内に設けられていても良い。ノート型パーソナルコンピュータに本発明の一態様を適用させることで、低消費電力であり、鮮明な三次元画像の表示を行うことができるノート型パーソナルコンピュータを提供することができる。
【０１９１】
図１６（Ｃ）は携帯情報端末であり、筐体５４０１、画像表示部に相当する表示部５４０２、操作キー５４０３、遮光部に相当する眼鏡５４０７等を含む。眼鏡５４０７は、右目用光制御部５４０８と左目用光制御部５４０９とを有する。なお、表示部５４０２における右目用画像、或いは左目用画像の表示に同期するように、右目用光制御部５４０８と左目用光制御部５４０９の透過率を制御する制御部は、眼鏡５４０７に設けられていても良いし、筐体５４０１内に設けられていても良い。携帯情報端末に本発明の一態様を適用させることで、低消費電力であり、鮮明な三次元画像の表示を行うことができる携帯情報端末を提供することができる。
【０１９２】
以上の様に、本発明の適用範囲は極めて広く、あらゆる分野の電子機器に用いることが可能である。
【０１９３】
本実施例は、上記実施の形態と適宜組み合わせて実施することができる。
【符号の説明】
【０１９４】
１００    液晶表示装置
１０１    画像表示部
１０２    遮光部
１０３    制御部
１０４    光供給部
１０５    画素部
１０６    画素
１０７    第１表示領域
１０８    第２表示領域
１０９    左目用光制御部
１１０    右目用光制御部
１１１    液晶素子
１１２    トランジスタ
１１３    容量素子
４００    画像表示部
４０１    画像メモリ
４０２    画像処理回路
４０３    コントローラ
４０４    パネル
４０５    光供給部
４０６    光供給部制御回路
４０７    フルカラー画像データ
４０８    画素部
４０９    信号線駆動回路
４１０    走査線駆動回路
４１１    シフトレジスタ
４１２    記憶回路
４１３    記憶回路
４１４    レベルシフタ
４１５    ＤＡＣ
４１６    アナログバッファ
４１７    シフトレジスタ
４１８    デジタルバッファ
５００    基板
５０１    導電膜
５０２    導電膜
５０３    導電膜
５０４    導電膜
５０５    画素電極
５０６    ゲート絶縁膜
５０７    活性層
５０８    共通電極
５０９    絶縁膜
５１０    スペーサ
５１２    絶縁膜
５１３    絶縁膜
５１４    基板
５１６    液晶層
５５０    トランジスタ
５５１    容量素子
５５２    液晶素子
１６０１    パネル
１６０２    拡散板
１６０３    プリズムシート
１６０４    拡散板
１６０５    導光板
１６０７    バックライトパネル
１６０８    回路基板
１６０９    ＣＯＦテープ
１６１０    ＦＰＣ
１６１１    基板
１６１２    バックライト
１６２０    バックライト
４００１    基板
４００２    画素部
４００３    信号線駆動回路
４００４    走査線駆動回路
４００５    シール材
４００６    対向基板
４００７    液晶
４００９    トランジスタ
４０１０    トランジスタ
４０１１    液晶素子
４０１４    配線
４０１６    接続端子
４０１８    ＦＰＣ
４０１９    異方性導電膜
４０２１    基板
４０２２    トランジスタ
４０３０    画素電極
４０３１    共通電極
４０３５    スペーサ
４０４０    遮光膜
５００１    画像表示部用筐体
５００２    表示部
５００３    スピーカー部
５００４    眼鏡
５００５    右目用光制御部
５００６    左目用光制御部
５２０１    画像表示部用筐体
５２０２    表示部
５２０３    キーボード
５２０４    ポインティングデバイス
５２０６    眼鏡
５２０７    右目用光制御部
５２０８    左目用光制御部
５４０１    筐体
５４０２    表示部
５４０３    操作キー
５４０７    眼鏡
５４０８    右目用光制御部
５４０９    左目用光制御部
【図１】
0005832872.tif 000002
【図２】
0005832872.tif 000003
【図３】
0005832872.tif 000004
【図４】
0005832872.tif 000005
【図５】
0005832872.tif 000006
【図６】
0005832872.tif 000007
【図７】
0005832872.tif 000008
【図８】
0005832872.tif 000009
【図９】
0005832872.tif 000010
【図１０】
0005832872.tif 000011
【図１１】
0005832872.tif 000012
【図１２】
0005832872.tif 000013
【図１３】
0005832872.tif 000014
【図１４】
0005832872.tif 000015
【図１５】
0005832872.tif 000016
【図１６】
0005832872.tif 000017